(57)【要約】【課題】ワンタッチの作業で、規格値に統一した穿孔と、穿孔が完了した紙葉類の綴り棒による移動及び整列等を含む一連の工程が逐次実行され、多数の枚数の紙葉類を整然と収納保持する一連の手順が、簡単且つ迅速に達成できる穿孔機能付きファイルを提供する。【解決手段】ベース１１と、先端部の径を他の部分の径よりも大きくし、この先端部に第１及び第２の凸刃を設け、ベース１１に垂直方向に固定された第１及び第２の綴り棒１２ａ，１２ｂと、第１及び第２の凸刃から等距離となるように設定された基準位置決定部を基準とし、基準位置決定部からそれぞれ等距離に設けられ、第１及び第２の凸刃にそれぞれ陥合する第１及び第２の凹刃２２ａ，２２ｂを開孔し、ベース１１に対し相対的に移動可能な紙押さえ部２１ａとを備える。【選択図】  図２
2014076638.tif 000002
【特許請求の範囲】
【請求項１】
表紙と裏表紙とを背表紙を介して接続したファイル帳と、
前記裏表紙の前記背表紙側の端部の中央に固着されたベースと、
前記ベースの垂直方向を長手方向とし、先端部の径を他の部分の径よりも大きくし、該先端部に第１の凸刃を設け、前記ベースに垂直方向に固定された第１の綴り棒と、
前記第１の綴り棒から離間し、前記第１の綴り棒と同一形状、同一寸法を有し、先端部に第２の凸刃を設け、前記ベースに垂直方向に固定された第２の綴り棒と、
前記第１及び第２の凸刃の配列方向と平行方向に、前記第１及び第２の凸刃から等距離となるように、線状に設定された基準位置決定部を基準とし、該基準位置決定部からそれぞれ等距離に設けられ、前記第１及び第２の凸刃にそれぞれ陥合する第１及び第２の凹刃を開孔し、前記ベースに対し相対的に移動可能な紙押さえ部と、
該紙押さえ部に固定され、紙葉類の端部を挿入して、穿孔位置及び穿孔間隔を制御する端部制御機構
とを備えることを特徴とする穿孔機能付きファイル。
【請求項２】
前記基準位置決定部にヒンジ部を更に備え、
該ヒンジ部を支点として、前記紙押さえ部が、前記ベースに対して回転移動することにより、前記第１及び第２の凹刃が、それぞれ前記第１及び第２の凸刃に同時に陥合することを特徴とする請求項１に記載の穿孔機能付きファイル。
【請求項３】
表紙と裏表紙とを背表紙を介して接続したファイル帳と、
前記裏表紙の前記背表紙側の端部の中央に固着されたベースと、
前記ベースの垂直方向を長手方向とし、先端部の径を他の部分の径よりも大きくし、該先端部に第１の凸刃を設け、前記ベースに垂直方向に固定された第１の綴り棒と、
前記第１の綴り棒から離間し、前記第１の綴り棒と同一形状、同一寸法を有し、先端部に第２の凸刃を設け、前記ベースに垂直方向に固定された第２の綴り棒と、
前記第１及び第２の凸刃の配列方向に沿って、前記第１の凸刃から第１の作用距離離間し、且つ前記配列方向に沿って、前記第２の凸刃から第２の作用距離離間した位置に設定された基準位置決定部を基準とし、該基準位置決定部から前記第１の作用距離離間して設けられ、前記第１の凸刃に陥合する第１の凹刃、該基準位置決定部から前記第２の作用距離離間して設けられ、前記第２の凸刃に陥合する第２の凹刃をそれぞれ開孔し、前記ベースに対し相対的に移動可能な紙押さえ部と、
該紙押さえ部に固定され、紙葉類の端部を挿入して、穿孔位置及び穿孔間隔を制御する端部制御機構
とを備えることを特徴とする穿孔機能付きファイル。
【請求項４】
前記基準位置決定部にヒンジ部を更に備え、
該ヒンジ部を支点として、前記紙押さえ部が、前記ベースに対して回転移動することにより、前記第１及び第２の凹刃が、それぞれ前記第１及び第２の凸刃に逐次、陥合することを特徴とする請求項３に記載の穿孔機能付きファイル。
【発明の詳細な説明】
【技術分野】
【０００１】
本発明は、バインダ、ファイル、フォルダ，ルーズリーフ形式のノートブック及びルーズリーフ形式の手帳等（以下においてこれらを総称して「ファイル」という。）に関し、特に，任意の場所で、紙葉類にパンチ穴を開けて綴じることが容易な穿孔機能付きファイルに関するものである。
【背景技術】
【０００２】
事務用パンチ装置（穿孔装置）は、上質紙等の紙葉類に綴じ穴を空けることを目的とする事務用品として実用に供されている。 実用の事務用パンチ装置は、サイズにより重いものもあるので、会議場等の外部に持ち運びするには不便である。又、バインダファイルやフラットファイルは、紙葉類を綴じるために使用されるものであるが、紙葉類に穴を空ける装置を会議場等の外部に携帯して持ち歩いてなければ現場で穴を開けることができず、バインダファイルやフラットファイルに紙葉類を綴じることができない。
【０００３】
このように、バインダファイルやフラットファイルに紙葉類を綴じる用途において、事務用パンチ装置を持ち歩くのでは不便であるので、紙葉類をバインダファイルやフラットファイルに綴じる操作性に関して大きな障害である。具体的には、紙葉類を持ち帰って、事務用パンチ装置で穴を開けるとか、バインダファイルやフラットファイルとは別に事務用パンチ装置を一緒に用意しなければならないなどの問題があった。
【０００４】
又、従来のバインダファイルやフラットファイルは、紙葉類に事務用パンチ装置で穴を開けるという準備工程が必要であり、この準備工程の後に、そのパンチ穴に貫通竿や綴じ棒を通して、紙葉類を綴じるという多段の工程が必要であり、煩雑であり、且つ紙葉類を綴じるために時間がかかるという不都合もあった。
【０００５】
この操作性の不便を解消するために、改善策（第１の改善策）として、フラットファイルの表紙裏の端部に突起付き受板と穴付き押し板を取り付けて、紙葉類の穿孔機能を設けた構造が提案されている（特許文献１参照。）。しかしながら、特許文献１の構造のフラットファイルでは、事務用パンチ装置を持ち歩く不便については改善されるが、紙葉類に穴を開けた後、表紙裏の端部に設けた突起付き受板から、穴付き押し板を解放して、一度、紙葉類を取り出す工程と、取り出した紙葉類のパンチ穴に鳥足を通す工程と、フラットバーにも鳥足を通す工程と、フラットバー上でコマを移動して、鳥足を押さえて紙葉類を綴じるという工程からなる一連の多段工程が必要で、煩雑で時間がかかるという問題は改善されていない。
【０００６】
第２の改善策として、紙葉類を綴じ込む綴り棒を２本形成した作動体の底面に、ベースに止着したパンチ刃が嵌入する２個のパンチ孔を設けた構造のバインダファイルが提案されている（特許文献３、図１４〜図１６参照。）。特許文献３に示された構造のバインダファイルでは、作動体のロックを解除した後、作動体を上方に回動した状態において、紙葉類を作動体の下方のパンチ刃の上に置いた後、作動体を下方に回動して押し下げ、パンチ刃によって、紙葉類を穿孔する。特許文献３に示された構造のバインダファイルにおいても、作動体を再度上方に回動することにより、紙葉類をパンチ刃から取り外す工程と、係止体を用いて作動体をロックする工程と、その後、穿孔された紙葉類を、作動体の内部に設けられた綴り棒に綴じ込むという工程が必要になる。よって、事務用パンチ装置を持ち歩く不便については改善されるが、第２の改善策によっても、煩雑で時間がかかるという、従来のバインダファイルの問題は改善されていない。更には、穿孔時に紙葉類の端部が水平に保持するのが困難であるので、紙葉類が曲がったり、撓んだりした状態で穿孔されることになるので、穿孔後のパンチ孔間隔が規格値よりも大きくなり、穿孔が完了した紙葉類の第１及び第２の綴り棒のガイドによるスムーズな自由落下による移動ができず、第１及び第２の綴り棒の途中で止まってしまう不都合もあった。
【先行技術文献】
【特許文献】
【０００７】
【特許文献１】実開昭４９−５７０１５号公報
【特許文献１】実開平４−８１７８４号公報
【特許文献３】特開平６−７９９９４号公報
【発明の概要】
【発明が解決しようとする課題】
【０００８】
本発明は、ワンタッチの作業で、瞬時に、被処理対象である紙葉類に対し、パンチ孔間隔を規格値に正確且つ精密に統一した穿孔と、穿孔が完了した紙葉類の第１及び第２の綴り棒のガイドによるスムーズな自由落下による移動及び整列等を含む一連の工程が、途中で紙葉類に手を触れることなく、１秒に満たない短時間で自動的に実行される。そして、このワンタッチの作業を随時、必要に応じて、日常的に繰り返すことにより、最終的に多数の枚数の紙葉類を、端部を揃えて整然と収納保持する一連の手順が、簡単且つ迅速に達成できる穿孔機能付きファイルを提供することを目的とする。
【課題を解決するための手段】
【０００９】
本発明の第１の態様は、(a)表紙と裏表紙とを背表紙を介して接続したファイル帳と、
(b)裏表紙の背表紙側の端部の中央に固着されたベースと、(c)  ベースの垂直方向を長手方向とし、先端部の径を他の部分の径よりも大きくし、この先端部に第１の凸刃を設け、ベースに垂直方向に固定された第１の綴り棒と、(ｄ)第１の綴り棒から離間し、第１の綴り棒と同一形状、同一寸法を有し、先端部に第２の凸刃を設け、ベースに垂直方向に固定された第２の綴り棒と、(e)第１及び第２の凸刃の配列方向と平行方向に、第１及び第２の凸刃から等距離となるように、線状に設定された基準位置決定部を基準とし、この基準位置決定部からそれぞれ等距離に設けられ、第１及び第２の凸刃にそれぞれ陥合する第１及び第２の凹刃を開孔し、ベースに対し相対的に移動可能な紙押さえ部と、(f)この紙押さえ部に接続され、紙葉類の端部を挿入して、穿孔位置及び穿孔間隔を制御する端部制御機構を備える穿孔機能付きファイルであることを要旨とする。
【００１０】
本発明の第２の態様は、(a)表紙と裏表紙とを背表紙を介して接続したファイル帳と、(b)裏表紙の背表紙側の端部の中央に固着されたベースと、(c)ベースの垂直方向を長手方向とし、先端部の径を他の部分の径よりも大きくし、この先端部に第１の凸刃を設け、ベースに垂直方向に固定された第１の綴り棒と、(ｄ)第１の綴り棒から離間し、第１の綴り棒と同一形状、同一寸法を有し、先端部に第２の凸刃を設け、ベースに垂直方向に固定された第２の綴り棒と、(e)第１及び第２の凸刃の配列方向に沿って、第１の凸刃から第１の作用距離離間し、且つ配列方向に沿って、第２の凸刃から第２の作用距離離間した位置に設定された基準位置決定部を基準とし、この基準位置決定部から第１の作用距離離間して設けられ、第１の凸刃に陥合する第１の凹刃、この基準位置決定部から第２の作用距離離間して設けられ、第２の凸刃に陥合する第２の凹刃をそれぞれ開孔し、ベースに対し相対的に移動可能な紙押さえ部と、(f)この紙押さえ部に接続され、紙葉類の端部を挿入して、穿孔位置及び穿孔間隔を制御する端部制御機構を備える穿孔機能付きファイルであることを要旨とする。
【発明の効果】
【００１１】
本発明によれば、被処理対象である紙葉類への撓み、反り、曲がり、うねり、緩み（以下において、撓み、反り、曲がり、うねり、緩み等）を総称して「撓み等」という。）のない状態での穿孔を可能にし、これによりパンチ孔間隔を規格値に正確且つ精密に統一した穿孔を実現し、引き続き、穿孔が完了した紙葉類の第１及び第２の綴り棒のガイドによるスムーズな自由落下実現し、途中で紙葉類に手を触れることなく、ワンタッチの作業で、一連の工程が、１秒に満たない短時間で瞬時に自動的に実行される。そして、このワンタッチの作業を随時、必要に応じて、日常的に繰り返すことにより、最終的に多数の枚数の紙葉類を、端部を揃えて整然と第１及び第２の綴り棒によって収納保持する一連の手順が、簡単且つ迅速に達成できる穿孔機能付きファイルを提供することができる。
【図面の簡単な説明】
【００１２】
【図１】本発明の第１の実施の形態に係る穿孔機能付きファイルの構造の要部の概略を一例をとして示した模式的な斜視図（鳥瞰図）である。
【図２】第１の実施の形態に係る穿孔機能付きファイルの開放状態における構造の要部の概略を被処理物である紙葉類と共に示した模式的な断面図である。
【図３】第１の実施の形態に係る穿孔機能付きファイルの穿孔完了し、紙葉類を収納している状態における構造の要部の概略を、紙葉類と共に示した模式的な断面図である。
【図４】紙葉類が収納されていない状態における、第１の実施の形態に係る穿孔機能付きファイルの、ファイル帳を含む全景の要部の概略を説明する模式的な斜視図（鳥瞰図）である。
【図５】紙葉類を収納している状態における、第１の実施の形態に係る穿孔機能付きファイルの全景の要部の概略を説明する模式的な斜視図（鳥瞰図）である。
【図６】図６（ａ）は、第１の実施の形態に係る穿孔機能付きファイルの第１及び第２の綴り棒として採用可能な綴り棒の、シャー角を含む要部の概略を説明する模式的な側面図で、図６（ｂ）は、図６（ａ）に側面図を示した綴り棒の、対応する上面図を模式的に示す図である。
【図７】図７（ａ）は、第１の実施の形態に係る穿孔機能付きファイルの第１及び第２の綴り棒として採用するには適切ではない、対称構造の綴り棒の要部の概略を説明する模式的な側面図で、図６（ｂ）は、図７（ａ）に側面図を示した綴り棒の、対応する上面図を模式的に示す図である。
【図８】第１の実施の形態に係る穿孔機能付きファイルの第１及び第２の綴り棒として採用するには適切ではない、他の例に係る対称構造の綴り棒の要部の概略を説明する模式的な側面図である。
【図９】第１の実施の形態に係る穿孔機能付きファイルの第１及び第２の綴り棒として採用するには適切ではない更に他の例（比較例）に係るストレートシャンク構造の綴り棒の要部の概略を説明する模式的な側面図である。
【図１０】第１の実施の形態に係る穿孔機能付きファイルの第１及び第２の綴り棒として採用するには適切ではない、更に他の例に係る対称構造の綴り棒の要部の概略を説明する模式的な側面図である。
【図１１】図１１（ａ）は、第１の実施の形態に係る穿孔機能付きファイルの第１及び第２の綴り棒として採用可能な綴り棒の、シャー角を含む要部の概略を説明する模式的な側面図で、図１１（ｂ）は、図１１（ａ）に側面図を示した綴り棒の、対応する上面図を模式的に示す図である。
【図１２】第１の実施の形態に係る穿孔機能付きファイルの第１及び第２の綴り棒として採用するには適切ではない、更に他の例に係る対称構造の綴り棒の要部の概略を説明する模式的な側面図である。
【図１３】第１の実施の形態に係る穿孔機能付きファイルの第１及び第２の綴り棒として採用するには適切ではない更に他の例（比較例）に係るストレートシャンク構造の綴り棒の要部の概略を説明する模式的な側面図である。
【図１４】本発明の第２の実施の形態に係る穿孔機能付きファイルの構造の要部の概略を一例をとして示した模式的な斜視図（鳥瞰図）である。
【図１５】第２の実施の形態に係る穿孔機能付きファイルの開放状態における構造の要部の概略を被処理物である紙葉類と共に示した模式的な断面図である。
【図１６】第２の実施の形態に係る穿孔機能付きファイルの穿孔完了し、紙葉類を収納している状態における構造の要部の概略を、紙葉類と共に示した模式的な断面図である。
【図１７】図１７（ａ）は、第１の実施の形態に係る穿孔機能付きファイルのロック機構の要部の概略を説明する模式的な斜視図（鳥瞰図）で、図１７（ｂ）は、図１７（ａ）に斜視図（鳥瞰図）を示したロック機構の動作状態を説明する側面図を模式的に示す図である。
【図１８】本発明の第２の実施の形態の変形例（第１の変形例）に係る穿孔機能付きファイルの構造の要部の概略を一例をとして示した模式的な斜視図（鳥瞰図）である。
【図１９】紙葉類を収納している状態における、第２の実施の形態の変形例（第１の変形例）に係る穿孔機能付きファイルの全景の要部の概略を説明する模式的な斜視図（鳥瞰図）である。
【図２０】本発明の第２の実施の形態の他の変形例（第２の変形例）に係る穿孔機能付きファイルの構造の要部の概略を一例をとして示した模式的な斜視図（鳥瞰図）である。
【図２１】本発明の第６の実施の形態に係る穿孔機能付きファイルの開放状態における構造の要部の概略を被処理物である紙葉類と共に示した模式的な断面図である。
【図２２】本発明の第５の実施の形態に係る穿孔機能付きファイルの、ファイル帳を含む全景の要部の概略を一例をとして示した模式的な上面図である。
【図２３】第５の実施の形態に係る穿孔機能付きファイルの開放状態における構造の要部の概略を被処理物である紙葉類と共に示した模式的な断面図である。
【図２４】第５の実施の形態に係る穿孔機能付きファイルの穿孔完了し、紙葉類を収納している状態における構造の要部の概略を、紙葉類と共に示した模式的な断面図である。
【図２５】本発明のその他の実施の形態に係る穿孔機能付きファイルの、ファイル帳を含む全景の要部の概略を一例をとして示した模式的な上面図である。
【図２６】第１の実施の形態に係る穿孔機能付きファイルにおいて、図２に示した状態から紙押さえ部の下方へのスイング駆動が進行し、紙葉類の一部が裁断される直前の段階における要部の概略を示した模式的な断面図である。
【図２７】第１の実施の形態に係る穿孔機能付きファイルにおいて、図２６に示した状態からスイング駆動が更に進行し、紙葉類の一部が裁断された段階における要部の概略を説明する模式的な断面図である。
【図２８】第１の実施の形態に係る穿孔機能付きファイルにおいて、図２７に示した状態からスイング駆動が更に進行し、紙葉類への穿孔が完了した段階における要部の概略を示し、紙葉類がガイド用フックの上を平行移動した状態を説明する模式的な断面図である。
【図２９】第１の実施の形態に係る穿孔機能付きファイルにおいて、図２７に示した状態からスイング駆動が更に進行した段階におけるの要部の概略を示し、紙葉類が落下し始めている状態を説明する模式的な断面図である。
【図３０】本発明の第３の実施の形態に係る穿孔機能付きファイルの構造の要部の概略を一例をとして示した模式的な斜視図（鳥瞰図）である。
【図３１】第３の実施の形態に係る穿孔機能付きファイルの開放状態における構造の要部の概略を被処理物である紙葉類と共に示した模式的な断面図である。
【図３２】第３の実施の形態に係る穿孔機能付きファイルの穿孔完了し、紙葉類を収納している状態における構造の要部の概略を、紙葉類と共に示した模式的な断面図である。
【図３３】第３の実施の形態に係る穿孔機能付きファイルのロック機構が、紙送り動作をする様子を説明する模式的な斜視図（鳥瞰図）である。
【図３４】本発明の第４の実施の形態に係る穿孔機能付きファイルにおいて、紙押さえ部が開放状態の場合の要部の概略を示した模式的な断面図である。
【図３５】第４の実施の形態に係る穿孔機能付きファイルにおいて、図３４に示した状態から紙押さえ部の下方へのスイング駆動が進行し、紙葉類の一部が裁断された段階における要部の概略を説明する模式的な断面図である。
【図３６】図３６(a)は、第４の実施の形態に係る穿孔機能付きファイルにおいて、図３５に示した状態からスイング駆動が更に進行し、紙葉類への穿孔が完了し、紙葉類が落下した状態を説明する模式的な断面図で、図３６（ｂ）は、第４の実施の形態に係る穿孔機能付きファイルに用いるロックレバーの構造の概略を説明する模式的な斜視図（鳥瞰図）である。
【発明を実施するための形態】
【００１３】
次に、図面を参照して、本発明の第１〜第６の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。特に、図２，３，１５，１６，２１，２３，２４等では、断面の切り口にハッチングを施す都合上、紙葉類７１ａ，７１ｂ，７１ｃ，７１ｄ，７１ｅの厚さを、現実に市販されている紙の厚さ０．０６〜０．１１ｍｍ，０．１３ｍｍ，０．１４ｍｍ，０．１７ｍｍ，０．２３ｍｍ等に対し、誇張して模式的に示している。したがって、具体的な厚みや寸法は以下の説明、現実の規格で定まる値、或いは、当業者の技術常識を参酌して判断すべきものである。又、図面相互間においても互いの寸法の関係や比率が異なる部分が含まれていることは勿論である。又、以下に示す第１〜第６の実施の形態は、この発明の技術的思想を具体化するための装置や方法を例示するものであって、この発明の技術的思想は、構成部品の材質、形状、構造、配置等を下記のものに特定するものでない。この発明の技術的思想は、特許請求の範囲において、種々の変更を加えることができる。
【００１４】
（第１の実施の形態）
本発明の第１の実施の形態に係る穿孔機能付きファイルは、図１〜図５に示すように、表紙と裏表紙とを背表紙を介して接続したファイル帳３１（図４及び図５参照。）と、裏表紙の背表紙側の端部の中央に固着されたベース１１と、ベース１１の垂直方向を長手方向とし、先端部の径を他の部分の径よりも大きくし、この先端部に第１の凸刃を設け、ベース１１に垂直方向に固定された第１の綴り棒１２ａと、第１の綴り棒１２ａから離間し、第１の綴り棒１２ａと同一形状、同一寸法を有し、先端部に第２の凸刃を設け、ベース１１に垂直方向に固定された第２の綴り棒１２ｂと、第１の凸刃及び第２の凸刃の配列方向と平行方向に、第１の凸刃及び第２の凸刃から等距離となるように、線状に設定された基準位置決定部を基準とし、この基準位置決定部からそれぞれ等距離に設けられ、第１の凸刃及び第２の凸刃にそれぞれ陥合する第１の凹刃（ダイ）２２ａ及び第２の凹刃（ダイ）２２ｂを開孔し、第１の綴り棒１２ａ及び第２の綴り棒１２ｂの先端部の一部を収納可能とし、且つ第１の凹刃（ダイ）２２ａ及び第２の凹刃（ダイ）２２ｂに連続した紙屑収納空間２５を内部に設け、ベース１１に対し相対的に移動可能な紙押さえ部２１ａとを備える。ファイル帳３１としては、バインダ、ファイル、フォルダ，ルーズリーフ形式のノートブック及びルーズリーフ形式の手帳等が対象になるが、以下の説明ではＡ４の紙が収納できるバインダファイルを例に説明する。
【００１５】
図１に示すように、紙押さえ部２１ａの側壁には、紙屑取出蓋２７ａが設けられ、随時、紙屑取出蓋２７ａを解放することにより、紙屑収納空間２５にたまった紙屑（パンチ滓）を排出可能にしている。第１の実施の形態に係る穿孔機能付きファイルの基準位置決定部には、ヒンジ部３５を更に備える。そして、図２と図３を比較すれば分かるように、このヒンジ部３５を支点として、紙押さえ部２１ａが、ベース１１に対して回転移動することにより、第１の凹刃（ダイ）２２ａ及び第２の凹刃（ダイ）２２ｂが、それぞれ第１の凸刃及び第２の凸刃に同時に陥合する。図１〜図３に示すように、ヒンジ部３５にはヒンジ部設置板２３が設けられている。
【００１６】
一方、ベース１１は、図１〜図３に示すように、取付穴１８ｂ，１８ｃが設けられた底面部に対して垂直に立ち上がる紙押さえ部接続壁１５を有して、ほぼＬ字型の形状である。紙押さえ部接続壁１５には、ヒンジ部設置板収納溝１３が設けられ、ヒンジ部設置板収納溝１３にヒンジ部設置板２３が挿入されて、ベース１１にヒンジ部設置板２３が固定される。図４に示したように、取付穴１８ｂ，１８ｃには、それぞれ鋲（リベット）１９ｂ，１９ｃが挿入され、鋲（リベット）１９ｂ，１９ｃにより、ベース１１がファイル帳３１に固着される。図２及び図３では、ヒンジ部設置板収納溝１３とヒンジ部設置板２３の間には隙間が設けられているが、この隙間には接着剤が挿入されて、ヒンジ部設置板収納溝１３とヒンジ部設置板２３とは、互いに固定される。或いは、ヒンジ部設置板収納溝１３とヒンジ部設置板２３との間には、隙間がないように互いに密着することにより、摩擦力や弾性応力で、互いに固定してもよい。なお、図示を省略しているが、ヒンジ部３５を介してヒンジ部設置板２３と紙押さえ部２１ａとに両端（両アーム）をそれぞれ固定したねじりバネ（トーションバネ）を内蔵してもよい。
【００１７】
このとき、紙押さえ部２１ａのロック時（閉じた状態のとき）に、両アームの自由時開放角度よりも両アーム間の角度が閉じた状態となる圧縮バネとしてねじりバネを使用すれば、紙押さえ部２１ａがねじりバネの弾性力で跳ね上がるので、次の穿孔作業時の紙押さえ部２１ａを開放するのが容易になる。一方、ねじりモーメント（トルク）を逆にして、紙押さえ部２１ａの解放時が、ねじりバネの自由時開放角度よりも両アーム間の角度が開いた状態となる引張バネとして使用すれば、ねじりバネが自由時開放角度に戻ることにより紙押さえ部２１ａを弾性力で押し下げ、更に、穿孔後、紙押さえ部２１ａを、ねじりバネがロックして固定することができる。 ねじりバネの代わりに板バネ等他のバネを用いても、圧縮バネとして使用すれば、紙押さえ部２１ａが弾性力で跳ね上がり、引張バネとして使用すれば、紙押さえ部２１ａを弾性力で押し下げ、穿孔後、紙押さえ部２１ａを弾性力がロックして固定することができる。
【００１８】
紙押さえ部２１ａのヒンジ部３５側の下面にはクランプ凸部２４ａ，２４ｂがベース１１に向かって設けられている。一方、ベース１１の紙押さえ部接続壁１５に沿って、クランプ凹部１４ａ，１４ｂを構成するための箱状の段差部が設けられている。クランプ凹部１４ａ，１４ｂにクランプ凸部２４ａ，２４ｂが導入されて、ベース１１と紙押さえ部２１ａとが固定されて、バインダとして、図３に示すように穿孔された、紙葉類７１ａ，７１ｂ，７１ｃ，７１ｄ，７１ｄが保持されてストックされる。本発明の「紙葉類７１ａ，７１ｂ，７１ｃ，７１ｄ，７１ｄ」としては、上質紙、中質紙、アート紙等の紙類、或いはポリエステル（ＰＥＴ）フィルム等のプラスチックフィルム類、更には、アルミ博等の金属薄膜類等の種々の一様な厚さを有し、所定の寸法を備えた薄膜を対象とすることが可能である。図２及び図３では、クランプ凹部１４ａ，１４ｂとクランプ凸部２４ａ，２４ｂの間には隙間が設けられているが、この隙間にはバネやゴム板等の弾性体が挿入される。このため、クランプ凹部１４ａ，１４ｂとクランプ凸部２４ａ，２４ｂとは、穿孔時には所定の弾性力で互いに摺動若しくは滑動し、収納保持（ストック）時には、ベース１１と紙押さえ部２１ａとが固定されるように機能する。或いは、クランプ凹部１４ａ，１４ｂとクランプ凸部２４ａ，２４ｂとの間には、隙間がないように設定され、穿孔時には互いに密着状態で摺動若しくは滑動し、穿孔終了後のストック時には、摩擦力や弾性応力で、クランプ凹部１４ａ，１４ｂとクランプ凸部２４ａ，２４ｂとが、それぞれ互いに固定され、穿孔された紙葉類７１ａ，７１ｂ，７１ｃ，……が、第１の綴り棒１２ａ及び第２の綴り棒１２ｂによって保持される。
【００１９】
図１〜図３に示すように、紙押さえ部２１ａの紙屑収納空間２５の下のヒンジ部３５側には、断面形状がＬ字型のガイド用フック２６が設けられている。ガイド用フック２６は、被処理対象である、例えば、上質紙、中質紙、アート紙等の紙葉類７１ｅの端部を凹部の一番奥の紙葉類端部整合面に衝突する（接する）ように挿入して、紙葉類７１ｅの端部を水平に撓み等がないように保持し、この状態で紙葉類７１ｅの端部の位置を決定し、端部における穿孔位置及び穿孔間隔を制御する「端部制御機構」として機能している。２穴パンチの場合であれば、ＪＩＳ規格に沿って、奥行１２ｍｍ±１．０ｍｍの穿孔位置に、穿孔間隔（ピッチ）が８０ｍｍ±０．５ｍｍとなるように、が６ｍｍ±０．５ｍｍのパンチ穴が穿孔できるように端部制御機構が制御する。ＩＳＯ８３８の規格では、２穴パンチの場合直径は５．５ｍｍ−６．５ｍｍの範囲と定められおり、穿孔位置は紙の一番近い端部から約１２ｍｍ（１１ｍｍ−１３ｍｍ）で、２つの穴は紙の軸に対して対称の位置になければならない。又穴同士の穿孔間隔はパンチ穴の中心から計って７９．５ｍｍ−８０．５ｍｍの範囲とされている（日本工業規格においてはＪＩＳＳ６０４１「事務用あなあけ器」が規定されており、穴の規格はＩＳＯ８３８と同じになっている。）。図２に示すように、被処理対象である紙葉類７１ｅを作業者の指１で保持して、紙葉類７１ｅの端部をＬ字型のガイド用フック２６によって構成された凹部に挿入し、紙葉類７１ｅの端部の位置を保持長Δｄ1の庇部によってガイドして、端部制御機構が紙葉類７１ｅの端部の位置を決定している。則ち、紙葉類７１ａ，７１ｂ，７１ｃ，……が、例えば厚さ０．０８ｍｍ以下の薄口の上質紙や、厚さ０．０７ｍｍ以下の特薄口の上質紙等の場合であっても、端部制御機構としてのガイド用フック２６が紙葉類７１ａ，７１ｂ，７１ｃ，……のそれぞれの端部を水平に撓み等がないように揃えることにより、紙葉類７１ａ，７１ｂ，７１ｃ，……のそれぞれに対する第１の凸刃及び第２の凸刃による穿孔位置を、パンチ孔間隔のずれがないように制御し、統一できる。ガイド用フック２６がない従来技術の場合は、穿孔時に紙葉類の端部が水平に保持されず、紙葉類の穿孔位置となる端部が曲がったり、反ったり、或いは撓んだりした状態で穿孔されるので、穿孔後のパンチ孔間隔（ピッチ）が規格値よりも大きくなることは、前述したとおりである。端部制御機構として機能するガイド用フック２６に紙葉類７１ａ，７１ｂ，７１ｃ，……のそれぞれの端部を水平に撓み等がないように揃えて収納することにより、パンチ孔間隔のずれがないように統一できるので、第１の綴り棒１２ａ及び第２の綴り棒１２ｂにガイドされた自由落下もスムーズになり、５０枚、１００枚、２００枚等の多数の枚数の紙葉類７１ａ，７１ｂ，７１ｃ，……を、整然とそれぞれの端部が揃うように整合させ、効率良く収納保持（ストック）することができる。穿孔後のパンチ孔間隔が規格値よりも大きくなった場合は、穿孔が完了した紙葉類の第１及び第２の綴り棒のガイドによるスムーズな自由落下による移動ができず、途中で止まってしまう不都合が発生する。
【００２０】
図１〜図３に示したように、第１の実施の形態に係る穿孔機能付きファイルにおいては、第１の綴り棒１２ａ及び第２の綴り棒１２ｂのそれぞれの先端部の径を他の部分の径よりも大きくし、この先端部に第１の凸刃及び第２の凸刃を設けているので、穿孔されたパンチ孔の内径と、第１の綴り棒１２ａ及び第２の綴り棒１２ｂの先端部以外の箇所の外径には一定の遊び（空隙）が存在する。これにより、穿孔された紙葉類７１ａ，７１ｂ，７１ｃ，……が、第１の綴り棒１２ａ及び第２の綴り棒１２ｂに、一定の遊びを有してガイドされるので、紙葉類７１ａ，７１ｂ，７１ｃ，……が第１の綴り棒１２ａ及び第２の綴り棒１２ｂに対して、第１の綴り棒１２ａ及び第２の綴り棒１２ｂの長手方向に沿って、自在に移動できる。このため、穿孔された紙葉類７１ａ，７１ｂ，７１ｃ，……のストック時の位置調整や、穿孔された紙葉類７１ａ，７１ｂ，７１ｃ，……の取り出しが容易に可能になる。比較例として、先端部の径が他の部分の径と等しいストレートシャンクの構造を図９及び図１３に示す。図９に示した比較例に係る綴り棒１２ｆや図１３に示した比較例に係る綴り棒１２ｊの場合は、穿孔後のパンチ孔間隔を、パンチ穴の中心から計って７９．５ｍｍ−８０．５ｍｍの範囲の規格値に統一しても、第１及び第２の綴り棒に対してパンチ孔の遊びが形成されないので、穿孔が完了した紙葉類７１ａ，７１ｂ，７１ｃ，……の第１及び第２の綴り棒のガイドによるスムーズな自由落下による移動が困難であり、又、紙葉類７１ａ，７１ｂ，７１ｃ，……の取り出しも困難で、取り出し時に紙葉類７１ａ，７１ｂ，７１ｃ，……が破れる等の不都合が発生する虞がある。
【００２１】
特に、第１の凸刃及び第２の凸刃のそれぞれの先端が、ガイド用フック２６に向かって嘴状に突出するように、第１の綴り棒１２ａ及び第２の綴り棒１２ｂの先端部の形状が、第１の綴り棒１２ａ及び第２の綴り棒１２ｂの長手方向に沿った中心軸に関して非対称に構成されているので、第１の凸刃及び第２の凸刃のそれぞれが、紙葉類７１ａ，７１ｂ，７１ｃ，……を穿孔後、紙葉類７１ａ，７１ｂ，７１ｃ，……がガイド用フック２６から自動的に落下する水平方向の運動成分が発生し、且つ、自動的に落下した後は、それぞれ第１の綴り棒１２ａ及び第２の綴り棒１２ｂにガイドされてスムーズに移動して、収納保持（ストック）される。又、第１の実施の形態に係る穿孔機能付きファイルによれば、パンチ孔間隔が規格値に適合するように制御して穿孔されるので、従来の穿孔機能を備えないバインダとの整合性も確保できる。
【００２２】
図２及び図３では、第１の綴り棒１２ａ及び第２の綴り棒１２ｂが、第１の綴り棒１２ａ及び第２の綴り棒１２ｂの長手方向に沿った貫通孔を有し、ガイド用フック２６に向かって突出長Δｄ0で嘴状に突出するトポロジーで表現されているが、例示にすぎない。第１の綴り棒１２ａ及び第２の綴り棒１２ｂは、それぞれ図６に示すように、上部のみに中空部を有して、上部の先端が突出長Δｄ0で嘴状に突出して、それぞれ第１の凸刃及び第２の凸刃を形成した非対称の形状でもよい。図６（ａ）の側面図に示すように、第１の綴り棒１２ａ及び第２の綴り棒１２ｂの上端部は、外周側が水平面に対しシャー角(shear angle)θを有したシャー面を構成している。更に、図６（ａ）の側面図に示すように、第１の綴り棒１２ａ及び第２の綴り棒１２ｂの上端部には凹部が構成され、内周側が外周側のシャー面に対し、すくい角φを有して鋭利なナイフエッジ型の刃先構造を実現して、それぞれ第１の凸刃及び第２の凸刃を構成しているので、片刃のナイフエッジによる外周抜きを行うことができる。
【００２３】
第１の綴り棒１２ａ及び第２の綴り棒１２ｂが、それぞれ図６（ａ）に示すように、突出長Δｄ0で嘴状に突出して、突出部の下に逃げを構成しているので、図６（ｂ）に示す上面図では、第１の綴り棒１２ａ及び第２の綴り棒１２ｂの先端部の外形が、長径がガイド用フック２６に向かう方向に沿った楕円形状をなしている。突出長Δｄ0で突出している側の嘴の厚さはｔ1であり、凹部を介して、この厚さｔ1の部分に対向する側の部分の厚さは、ｔ1より小さいｔ2である（ｔ1＞ｔ2）。第１の綴り棒１２ａ及び第２の綴り棒１２ｂの上端部が非対称形状をなしているので、上端部の外形側は楕円であるが、上面図としては、凹部を構成している内径側は真円に近いトポロジーである。第１の実施の形態に係る穿孔機能付きファイルにおいては、第１の綴り棒１２ａ及び第２の綴り棒１２ｂの突出長Δｄ0を保持長Δｄ1と等しいか、突出長Δｄ0が保持長Δｄ1のよりも０．１ｍｍ〜０．２ｍｍ程度長くなるように設定しておくことが好ましい。例えば、保持長Δｄ1＝１．５ｍｍ〜４ｍｍ程度の値が採用可能であり、より好ましくは、保持長Δｄ1＝２ｍｍ〜３．５ｍｍ程度の値が採用可能である。
【００２４】
第１の実施の形態に係る穿孔機能付きファイルは、紙押さえ部２１ａの一端部がヒンジ部３５によって固定されているので、第１の凸刃が第１の凹刃（ダイ）２２ａの内部に垂直方向に挿入されるギロチン式の運動軌跡による穿孔ではなく、第１の凸刃が第１の凹刃（ダイ）２２ａの内部に円弧状に挿入されるスイング式の運動軌跡で、紙葉類７１ａ，７１ｂ，７１ｃ，……が外周抜きがされる。スイング式の運動軌跡では、第１の凸刃と第１の凹刃（ダイ）２２ａのクリアランスが穿孔時に変化する。このため、第１の凸刃が第１の凹刃（ダイ）２２ａの内部に挿入され、紙葉類７１ａ，７１ｂ，７１ｃ，……を穿孔するときの、第１の凸刃と第１の凹刃（ダイ）２２ａとの噛み合わせの自由度とクリアランスを担保するために、図６（ａ）の側面図に示すように、第１の凸刃の左上に突出した嘴の先端部は面取りがされている。同様に、第２の凸刃が第２の凹刃（ダイ）２２ｂの内部に挿入されるときの、噛み合わせの自由度とクリアランスを担保するために、第２の凸刃の嘴の先端部は面取りがされている。
【００２５】
図６（ａ）の側面図に示すように、第１の綴り棒１２ａ及び第２の綴り棒１２ｂの上端部は、上端部の外周側が水平面に対しシャー角θを有した傾斜となるシャー面をそれぞれ構成しているので、穿孔時に紙押さえ部２１ａから紙葉類７１ａ，７１ｂ，７１ｃ，……に対して、垂直方向に加えられる加工応力が、紙葉類７１ａ，７１ｂ，７１ｃ，……を垂直方向に外周抜きを行う打ち抜き剪断力成分と、紙葉類７１ａ，７１ｂ，７１ｃ，……を水平方向（図６（ａ）において右方向）に移動させる水平駆動力成分とに分解できる。このため、図２６に示すように、Ｌ字型のガイド用フック２６によって構成された凹部に挿入された紙葉類７１ｅの左側の端部が、図２６に示すように剪断加工の開始に伴い右方向に駆動され、更に、図２７に示すように剪断加工が進行して、紙屑（パンチ滓）７１ｅ-cが形成された段階では、紙葉類７１ｅはガイド用フック２６の保持長Δｄ1の庇部の幅に相当する距離の平行移動がなされる。図２７に示した段階では、紙葉類７１ｅに穿孔された開口部の左側は、突出長Δｄ0で嘴状に突出した凸刃の下の逃げの部分にガイドされるので、紙葉類７１ｅの左方向の平行移動が担保できる。突出長Δｄ0を保持長Δｄ1と等しいか、突出長Δｄ0が保持長Δｄ1のよりも０．０５ｍｍ〜０．２ｍｍ程度長くなるように設定しておけば、図２９に示すように、剪断加工が進行して穿孔が完了した紙葉類７１ｅは、Ｌ字型のガイド用フック２６から自動的に落下する。
【００２６】
ガイド用フック２６から自動的に落下した紙葉類７１ｅは、第１の綴り棒１２ａ及び第２の綴り棒１２ｂの長手方向に沿って自由落下して、第１の綴り棒１２ａ及び第２の綴り棒１２ｂによってストックされる。剪断加工時の水平駆動力成分の発生を考慮すると、シャー角θの大きさは例えば、４〜４０°程度に選ぶことができる。シャー角θの大きさが４°より小さいと、水平駆動力成分が相対的に小さくなり、紙葉類７１ｅの端部のガイド用フック２６からの自動的な落下の確実性が減少するので好ましくない。一方、シャー角θの大きさが４０°より大きいと、第１の凸刃及び第２の凸刃の端部が鋭利になりすぎて、手を傷つける虞があるので、第１の凸刃及び第２の凸刃の端部を丸める等の工夫が必要になる。より好ましくは、シャー角θの大きさは、８〜３０°程度、更に好ましくは、シャー角θの大きさは、１０〜２０°程度に選ぶことができる。このように、第１の実施の形態に係る穿孔機能付きファイルによれば、紙押さえ部２１ａに設けられたガイド用フック２６に紙葉類７１ｅの端部を挿入した後、紙押さえ部２１ａを、ヒンジ部３５を介してスイング駆動して、第１の綴り棒１２ａ及び第２の綴り棒１２ｂと噛み合わせた後固定するという、操作者のワンタッチの作業で、瞬時に、端部制御機構による撓み等のない端部の保持状態の実現（第１ステップ）と、紙葉類７１ａ，７１ｂ，７１ｃ，……のパンチ孔間隔（ピッチ）が、パンチ穴の中心から計って７９．５ｍｍ−８０．５ｍｍの範囲の規格値に正確且つ精密に統一された穿孔（第２ステップ）と、穿孔が完了した紙葉類７１ａ，７１ｂ，７１ｃ，……の端部の端部制御機構からの自動的取り出し（第３ステップ）と、穿孔が完了した紙葉類７１ａ，７１ｂ，７１ｃ，……のパンチ孔のそれぞれの第１の綴り棒１２ａ及び第２の綴り棒１２ｂへの自動的導入（第４ステップ）と、穿孔が完了した紙葉類７１ａ，７１ｂ，７１ｃ，……の第１の綴り棒１２ａ及び第２の綴り棒１２ｂのガイドによるスムーズな自由落下による下方への移動（第５ステップ）、及び第１の綴り棒１２ａ及び第２の綴り棒１２ｂによる穿孔が完了した複数の紙葉類７１ａ，７１ｂ，７１ｃ，……の端部を揃えた整列（第６ステップ）という、一連の連続した複数のステップ（工程）が、途中で紙葉類に手を触れることなく、１秒に満たない短時間で自動的に実行される。そして、この一連の連続した６ステップ（６工程）を瞬時（枚数や操作者の腕力等にもよるが、通常、１秒以内）に実行するワンタッチの作業を随時、必要に応じて、日常的に繰り返すことにより、最終的に多数の枚数の紙葉類７１ａ，７１ｂ，７１ｃ，……を、第１の綴り棒１２ａ及び第２の綴り棒１２ｂを用いて、端部を揃えた整然とした状態で収納保持（ストック）が、簡単且つ迅速に達成できる。
【００２７】
一方、図７、図８、図１０及び図１２に示した長手方向の中心軸に対して対称的な構造を有する綴り棒１２ｄ，１２ｅ，１２ｇ，１２ｉを第１及び第２の綴り棒として採用した場合は、綴り棒１２ｄ，１２ｅ，１２ｇ，１２ｉの上端部の外周側が水平面に対しシャー角θを有した傾斜となるシャー面をそれぞれ構成していれば、図６に示した第１の綴り棒１２ａ及び第２の綴り棒１２ｂと同様に、穿孔時に紙押さえ部２１ａから紙葉類７１ａ，７１ｂ，７１ｃ，……に対して、垂直方向に加えられる加工応力が、紙葉類７１ａ，７１ｂ，７１ｃ，……を垂直方向に外周抜きを行う打ち抜き剪断力成分と、紙葉類７１ａ，７１ｂ，７１ｃ，……を水平方向に移動させる水平駆動力成分とに分解できる。しかしながら、図２７に示した段階における紙葉類７１ｅに穿孔された開口部の左側の遊びは、突出長Δｄ2，Δｄ3等で嘴状に突出した凸刃の下の逃げの部分にガイドされるとしても、対象構造による戻りがあるので、紙葉類７１ｅは左方向に確実に平行移動できない場合が発生する。
【００２８】
この結果、長手方向の中心軸に対して対称的な構造の場合は、図２９に示すように、剪断加工が進行して穿孔が完了した紙葉類７１ｅは、Ｌ字型のガイド用フック２６から端部が自動的に落下しない場合が発生する。このため、中心軸に対して対称的な構造の綴り棒の場合は、綴り棒の長手方向に沿って紙葉類７１ａ，７１ｂ，７１ｃ，……を自由落下させる工程（ステップ）に不具合が発生する懸念がある。上述した第３ステップ以降の工程に不都合が発生した場合は、第１ステップから第６ステップまでの一連の連続した複数のステップ（工程）が、操作者が途中で紙葉類に手を触れることなく、ワンタッチの作業で、瞬時に、簡単且つ迅速に達成できるという第１の実施の形態に係る穿孔機能付きファイルの有利な効果の達成という観点から、中心軸に対して対称的な綴り棒１２ｄ，１２ｅ，１２ｇ，１２ｉの構造は好ましい態様とはいえない。
【００２９】
なお、綴り棒の上端部の外周側は、一定のシャー角θを有した一様な傾斜となる単一の面からなるシャー面を構成する必要はなく、図１１に示した綴り棒１２ｈの上端部のように、外周側が曲面を構成していても構わない。要は、 穿孔時に紙押さえ部２１ａから紙葉類７１ａ，７１ｂ，７１ｃ，……に対して、垂直方向に加えられる加工応力が、紙葉類７１ａ，７１ｂ，７１ｃ，……を垂直方向に外周抜きを行う打ち抜き剪断力成分と、紙葉類７１ａ，７１ｂ，７１ｃ，……を水平方向に移動させる水平駆動力成分とに分解できるシャー角θが綴り棒の上端部の外周側に設けられており、上部の先端が突出長Δｄ0で嘴状に突出していればよい。図１１では、曲面を構成している外周のエッジの包絡線がシャー角θをなす場合を例示しているが、水平駆動力成分とに分解できるシャー角θであれば、他の上端部の外周側に定義されるシャー角θであっても構わない。
【００３０】
（第２の実施の形態）
本発明の第２の実施の形態に係る穿孔機能付きファイルは、図１４〜図１６に示すように、表紙と裏表紙とを背表紙を介して接続したファイル帳（図示省略。図４及び図５参照。）と、裏表紙の背表紙側の端部の中央に固着されたベース１１と、ベース１１の垂直方向を長手方向とし、先端部の径を他の部分の径よりも大きくし、この先端部に第１の凸刃を設け、ベース１１に垂直方向に固定された第１の綴り棒１２ａと、第１の綴り棒１２ａから離間し、第１の綴り棒１２ａと同一形状、同一寸法を有し、先端部に第２の凸刃を設け、ベース１１に垂直方向に固定された第２の綴り棒１２ｂと、第１の凸刃及び第２の凸刃の配列方向と平行方向に、第１の凸刃及び第２の凸刃から等距離となるように、線状に設定された基準位置決定部を基準とし、この基準位置決定部からそれぞれ等距離に設けられ、第１の凸刃及び第２の凸刃にそれぞれ陥合する第１の凹刃（ダイ）２２ａ及び第２の凹刃（ダイ）２２ｂを開孔し、第１の綴り棒１２ａ及び第２の綴り棒１２ｂの先端部の一部を収納可能とし、且つ第１の凹刃（ダイ）２２ａ及び第２の凹刃（ダイ）２２ｂに連続した紙屑収納空間２５（図１５及び図１６参照。）を内部に設け、ベース１１に対し相対的に移動可能な紙押さえ部２１ｂとを備える点では、第１の実施の形態に係る穿孔機能付きファイルと同様である。
【００３１】
又、図示を省略しているが、紙押さえ部２１ｂの一部には、紙屑取出蓋が設けられ、随時、紙屑収納空間にたまった紙屑（パンチ滓）を排出可能にしている。ベース１１には、図１４（ｂ）に示すように、取付穴１８ｂ，１８ｃが設けられ、裏表紙にベース１１を固着する鋲（リベット）等を挿入可能に構成している。ベース１１の背表紙側の端部には、ヒンジ部設置板２３の下端が接続されている。ヒンジ部設置板２３は、側壁として機能するように、ベース１１に対してＬ字型に接続され、固定されている。このヒンジ部設置板２３の上端にヒンジ部３５が設けられ、ヒンジ部３５が、第２の実施の形態に係る穿孔機能付きファイルの基準位置決定部として機能している。そして、図１５と図１６を比較すれば分かるように、このヒンジ部３５を支点として、紙押さえ部２１ｂが、ベース１１に対して回転移動することにより、スイング式の運動軌跡に沿って、第１の凹刃（ダイ）２２ａ及び第２の凹刃（ダイ）２２ｂが、それぞれ第１の凸刃及び第２の凸刃に同時に陥合する。
【００３２】
第２の実施の形態に係る穿孔機能付きファイルは、図１４（ａ）に示すように、紙押さえ部２１ｂのベース１１に対向する側の面には、長手方向に垂直な断面形状がＬ字型の用紙ガイド２９が左右方向（長手方向）に延在して設けられている。被処理対象である紙葉類が、例えば薄口の上質紙等であっても、用紙ガイド２９は、紙葉類の端部を挿入して、紙葉類の端部を水平に撓み等がないように保持した状態で、紙葉類の端部の位置を決定し、端部における穿孔位置及び穿孔間隔を制御する「端部制御機構」として機能する。図１５に示すように、被処理対象である紙葉類７１ｅを作業者の指１で保持して、紙葉類７１ｅの端部をＬ字型の用紙ガイド２９によって構成された段差部に挿入し、紙葉類７１ｅの端部の下面を保持長Δｄ1の庇部によって支持し、紙葉類７１ｅの端部の位置をガイドして揃えることにより、紙葉類７１ａ，７１ｂ，７１ｃ，７１ｄ，７１ｄのそれぞれに対する第１の凸刃及び第２の凸刃による穿孔位置及び穿孔間隔を精密に制御し、統一することができる。用紙ガイド２９に紙葉類７１ａ，７１ｂ，７１ｃ，……のそれぞれの端部を水平に撓み等がないように揃えて収納することにより、パンチ孔間隔のずれ（拡大）がないように統一できるので、第１の綴り棒１２ａ及び第２の綴り棒１２ｂにガイドされた自由落下もスムーズになり、５０枚、１００枚、２００枚等の多数の枚数の紙葉類７１ａ，７１ｂ，７１ｃ，……を、整然とそれぞれの端部が揃うように整合させ、効率良く収納保持（ストック）することができる。用紙ガイド２９は図１４に示すように、Ａ４，Ｂ５，Ａ５等の種々のサイズの紙葉類７１ａ，７１ｂ，７１ｃ，……の両側端部の位置を表示するとともに、紙押さえ部２１ｂの中央に設けられた窓部から、用紙ガイド２９の中央に配置されたセンター位置が視認できるように構成されている。
【００３３】
図１４（ｂ）において、紙押さえ部２１ｂの中央に設けられた窓部から、紙押さえ部２１ｂをロックするロックレバー５１の頂部の一部が見えている。一方、 図１４（ａ）に示すように、紙押さえ部２１ｂのベース１１に対向する面の中央付近には、ロックレバー５１の位置に対向してＬ字型に折り曲げられた帯状の鈎部６１が設けられている。第２の実施の形態に係る穿孔機能付きファイルは、図１５及び図１６に示すように、カンガルー型の側面形状をなすロックレバー５１の顎の下が鈎部６１の突出部の上面に掛けられる。ロックレバー５１の顎の下が鈎部６１に掛け、鈎部６１の位置を固定して、紙押さえ部２１ｂのベース１１に対する相対的位置を固定（ロック）することにより、 穿孔後の紙葉類７１ａ，７１ｂ，７１ｃ，……が、それぞれ第１の綴り棒１２ａ及び第２の綴り棒１２ｂによって収納保持（ストック）され、離脱しないようにファイル帳に収納できる。
【００３４】
図１７に示すように、カンガルー型のロックレバー５１は、カンガルーの頭の下の首の位置に、鈎部６１の突出部が挿入可能な凹部を備え、ロック機構（５１，５２，５３，５４，５４，５５ａ，５５ｂ）の主要な部品を構成している。ロックレバー５１は、カンガルーの首の下に貫通孔５２を有し、この貫通孔５２の内部にねじりバネ５３の一方のアームの端部（案内棒）が挿入され、鈎部６１に対するロックレバー５１の移動を弾性的に制御している。ロックレバー５１は底部に回転軸５４を備え、この回転軸５４が２枚の軸支持板５５ａ，５５ｂによって、回転可能に支持されている。２枚の軸支持板５５ａ，５５ｂはロックレバー５１の底部を両側から挟むように平行に対向し、ベース１１にそれぞれ固定されている。紙押さえ部２１ｂをヒンジ部３５を支点として、ベース１１に対して回転移動（スイング）することにより、鈎部６１の位置が下がり、ロックレバー５１の顎の下に鈎部６１の突出部の上面が挿入される。
【００３５】
このロック機構（５１，５２，５３，５４，５４，５５ａ，５５ｂ）のロック動作により、 穿孔後の紙葉類７１ａ，７１ｂ，７１ｃ，……が、それぞれ第１の綴り棒１２ａ及び第２の綴り棒１２ｂによって収納保持（ストック）され、離脱しないようにファイル帳に収納できる。一方、 図１４（ｂ）に示した紙押さえ部２１ｂの中央の窓部を用いて、ロックレバー５１の頂部の位置を駆動すると、図１７（ｂ）に二点鎖線で示したように、ロックレバー５１の鈎部６１に対する固定が解除され、鈎部６１は上方に移動可能になる。ロックレバー５１の鈎部６１に対する固定が解除されると、紙押さえ部２１ｂはヒンジ部３５を支点として、上方に回転移動（スイング）して、図１４（ａ）に示すような開放状態となる。なお、図示を省略しているが、ヒンジ部３５を介してヒンジ部設置板２３と紙押さえ部２１ｂとに両端（両アーム）をそれぞれ固定したねじりバネ等の弾性体を設けて圧縮バネとして用いれば、ロックレバー５１の鈎部６１に対する固定を解除すれば、紙押さえ部２１ｂがねじりバネの弾性力で上方にスイングして跳ね上がるので、紙押さえ部２１ｂを開放する作業が容易になる。
【００３６】
図１５及び図１６に示したように、第２の実施の形態に係る穿孔機能付きファイルにおいては、第１の綴り棒１２ａ及び第２の綴り棒１２ｂのそれぞれの先端部の径を他の部分の径よりも大きくし、この先端部に第１の凸刃及び第２の凸刃を設けているので、穿孔されたパンチ孔の内径と、第１の綴り棒１２ａ及び第２の綴り棒１２ｂの先端部以外の箇所の外径には一定の遊び（空隙）が存在する。これにより、穿孔された紙葉類７１ａ，７１ｂ，７１ｃ，……が、第１の綴り棒１２ａ及び第２の綴り棒１２ｂに、一定の遊びを有してガイドされるので、紙葉類７１ａ，７１ｂ，７１ｃ，……が第１の綴り棒１２ａ及び第２の綴り棒１２ｂに対して、第１の綴り棒１２ａ及び第２の綴り棒１２ｂの長手方向に沿って、自在に移動できる。このため、穿孔された紙葉類７１ａ，７１ｂ，７１ｃ，……のストック時の位置調整や、穿孔された紙葉類７１ａ，７１ｂ，７１ｃ，……の取り出しが容易に可能になる。
【００３７】
第１の実施の形態に係る穿孔機能付きファイルで説明したとおり、第１の凸刃及び第２の凸刃のそれぞれの先端が、用紙ガイド２９に向かって嘴状に突出するように、第１の綴り棒１２ａ及び第２の綴り棒１２ｂの先端部の形状が、第１の綴り棒１２ａ及び第２の綴り棒１２ｂの長手方向に沿った中心軸に関して非対称に構成され、更に、第１の凸刃及び第２の凸刃の上端部の外周側が水平面に対しシャー角θを有したシャー面を構成しているので、第１の凸刃及び第２の凸刃のそれぞれが、紙葉類７１ａ，７１ｂ，７１ｃ，……を穿孔後、紙葉類７１ａ，７１ｂ，７１ｃ，……が用紙ガイド２９から自動的に落下し、且つそれぞれ第１の綴り棒１２ａ及び第２の綴り棒１２ｂにガイドされてスムーズに移動して、収納保持（ストック）される。
【００３８】
このように、第２の実施の形態に係る穿孔機能付きファイルによれば、紙押さえ部２１ｂに設けられた用紙ガイド２９に紙葉類７１ｅの端部を挿入して撓み等のない状態を実現した後、紙押さえ部２１ｂを、ヒンジ部３５を介してスイング駆動して、第１の綴り棒１２ａ及び第２の綴り棒１２ｂと噛み合わせた後固定するというワンタッチの作業で、瞬時に、紙葉類７１ａ，７１ｂ，７１ｃ，……のパンチ孔間隔を規格値に正確且つ精密に統一した穿孔と、穿孔が完了した紙葉類７１ａ，７１ｂ，７１ｃ，……の第１の綴り棒１２ａ及び第２の綴り棒１２ｂのガイドによるスムーズな自由落下による移動及び整列という、一連の連続した６工程（第１の実施の形態で説明した第１ステップから第６ステップまでの一連の工程参照。）が、途中で操作者が紙葉類に手を触れることなく、自動的に実行される。そして、このワンタッチで６工程を瞬時に実行する作業を、随時必要に応じて繰り返すことにより、最終的に多数の枚数の紙葉類７１ａ，７１ｂ，７１ｃ，……の端部を揃えた整然とした収納保持（ストック）が、簡単且つ迅速に達成できる。更に、第１の綴り棒１２ａ及び第２の綴り棒１２ｂのそれぞれの先端部の径を他の部分の径よりも大きくして、先端部以外の箇所の外径には一定の遊び（空隙）が存在するので収納された紙葉類７１ａ，７１ｂ，７１ｃ，……の取り出しが容易で、取り出し時に紙葉類７１ａ，７１ｂ，７１ｃ，……が破れる問題もない。なお、図１８及び図１９に示すように、第１の凹刃（ダイ）２２ａ及び第２の凹刃（ダイ）２２ｂが開孔された紙押さえ部２１ｃが角形の形状をなしていても構わない。
【００３９】
又、図２０に示すように、紙押さえ部２１ｄの一部を透明材料で構成された覗き窓４１ａ，４１ｂを設けて、紙屑収納空間にたまった紙屑（パンチ滓）が視認できるようにしてもよい。図２０では、４に示したように、ベース１１の３隅に設けた取付穴には、それぞれ鋲（リベット）１９ａ，１９ｂ，１９ｃが挿入され、鋲（リベット）１９ａ，１９ｂ，１９ｃにより、ベース１１がファイル帳３１（図１９参照。）に固着された状態を示しているが、実際にはベース１１の４隅にそれぞれ取付穴が設けられているので、ベース１１の４隅の取付穴にそれぞれ鋲（リベット）が挿入され、４本の鋲（リベット）により、ベース１１がファイル帳に固着される。ベース１１の４隅の取付穴にそれぞれ雄ねじを挿入して、ベース１１をファイル帳に固着してもよい。
【００４０】
図１８〜図２０に例示したような 第２の実施の形態の変形例に係る穿孔機能付きファイルの構造によっても、紙押さえ部２１ｃ，２１ｄに設けられた用紙ガイド２９に紙葉類７１ｅの端部を挿入した後、紙押さえ部２１ｃ，２１ｄを、ヒンジ部３５を介してスイング駆動して、第１の綴り棒１２ａ及び第２の綴り棒１２ｂと噛み合わせた後固定するというワンタッチの作業で、瞬時に、紙葉類７１ａ，７１ｂ，７１ｃ，……のパンチ孔間隔を規格値に統一した穿孔と、穿孔が完了した紙葉類７１ａ，７１ｂ，７１ｃ，……の第１の綴り棒１２ａ及び第２の綴り棒１２ｂのガイドによるスムーズな自由落下による移動及び整列等を含む、一連の連続した６工程が、途中で紙葉類に手を触れることなく、１秒に満たない短時間で自動的に実行される。そして、このワンタッチで６工程を瞬時に実行する作業を、随時必要に応じて繰り返すことにより、最終的に多数の枚数の紙葉類７１ａ，７１ｂ，７１ｃ，……の端部を揃えた整然とした収納保持による収納保持（ストック）が、簡単且つ迅速に達成できる。又、第２の実施の形態に係る穿孔機能付きファイルによれば、パンチ孔間隔が規格値に適合するように制御して穿孔されるので、従来の穿孔機能を備えないバインダとの整合性も確保できる。
【００４１】
（第３の実施の形態）
本発明の第３の実施の形態に係る穿孔機能付きファイルは、図３０〜図３２に示すように、表紙と裏表紙とを背表紙を介して接続したファイル帳（図示省略。図４，図５及び図１９参照。）と、裏表紙の背表紙側の端部の中央に固着されたベース１１と、ベース１１の垂直方向を長手方向とし、先端部の径を他の部分の径よりも大きくし、この先端部に第１の凸刃を設け、ベース１１に垂直方向に固定された第１の綴り棒１２ａと、第１の綴り棒１２ａから離間し、第１の綴り棒１２ａと同一形状、同一寸法を有し、先端部に第２の凸刃を設け、ベース１１に垂直方向に固定された第２の綴り棒１２ｂと、第１の凸刃及び第２の凸刃の配列方向と平行方向に、第１の凸刃及び第２の凸刃から等距離となるように、線状に設定された基準位置決定部を基準とし、この基準位置決定部からそれぞれ等距離に設けられ、第１の凸刃及び第２の凸刃にそれぞれ陥合する第１の凹刃（ダイ）２２ａ及び第２の凹刃（ダイ）２２ｂを開孔し、第１の綴り棒１２ａ及び第２の綴り棒１２ｂの先端部の一部を収納可能とし、且つ第１の凹刃（ダイ）２２ａ及び第２の凹刃（ダイ）２２ｂに連続した紙屑収納空間２５（図３１及び図３２参照。）を内部に設け、ベース１１に対し相対的に移動可能な紙押さえ部２１ｄとを備える点では、第１及び第２の実施の形態に係る穿孔機能付きファイルと同様である。
【００４２】
紙押さえ部２１ｄの上部の右側端部には、紙屑取出蓋２７ｃが設けられ、随時、紙屑収納空間にたまった紙屑（パンチ滓）を排出可能にしている。なお、紙屑取出蓋２７ｃの形状、構造や大きさは、図３０（ｂ）に示す形状、構造や大きさに限定されるものでない。特に、紙屑（パンチ滓）を取り出しやすくするためには、図３０（ｂ）に示した構造よりも大きな構造が好ましく、紙屑収納空間２５の上部の全体が開閉できるような構造でもよい。ベース１１には、図３０（ｂ）に示すように、取付穴１８ｂ，１８ｃが設けられ、裏表紙にベース１１を固着する鋲（リベット）等を挿入可能に構成している。ベース１１の背表紙側の端部には、ヒンジ部設置板２３の下端が接続されている。ヒンジ部設置板２３は、側壁として機能するように、ベース１１に対してＬ字型に接続され、固定されている。このヒンジ部設置板２３の上端にヒンジ部３５が設けられ、ヒンジ部３５が、第３の実施の形態に係る穿孔機能付きファイルの基準位置決定部として機能している。そして、図３１と図３２を比較すれば分かるように、このヒンジ部３５を支点として、紙押さえ部２１ｄが、ベース１１に対して回転移動することにより、スイング式の運動軌跡に沿って、第１の凹刃（ダイ）２２ａ及び第２の凹刃（ダイ）２２ｂが、それぞれ第１の凸刃及び第２の凸刃に同時に陥合する。
【００４３】
第３の実施の形態に係る穿孔機能付きファイルは、図３０（ａ）に示すように、紙押さえ部２１ｄのベース１１に対向する側の面には、長手方向に垂直な断面形状がＬ字型の用紙ガイド２９ｃが左右方向（長手方向）に延在して設けられている。被処理対象である紙葉類が、例えば薄口の上質紙等であっても、用紙ガイド２９ｃは、紙葉類の端部を挿入して、紙葉類の端部を水平に撓み等がないように保持した状態で、紙葉類の端部の位置を決定し、端部における穿孔位置及び穿孔間隔を制御する「端部制御機構」として機能するが、紙葉類７１ｅの端部の下面を保持する庇部の幅が一様でないことが、第２の実施の形態に係る穿孔機能付きファイルとは異なる。則ち、第３の実施の形態に係る穿孔機能付きファイルの用紙ガイド２９ｃの庇部の幅は長手方向の両端部の幅に比し、中央部の幅が狭く構成されている。図３１に示すように、被処理対象である紙葉類７１ｅの端部をＬ字型の用紙ガイド２９ｃによって紙屑収納空間２５の下に構成された凹部に挿入すれば、紙葉類７１ａ，７１ｂ，７１ｃ，７１ｄ，７１ｄ，７１ｅの端部の位置を揃えることができるが、用紙ガイド２９ｃの庇部の幅が両端部の幅に比し、中央部の幅Δｄcが狭く構成されているので、紙葉類７１ａ，７１ｂ，７１ｃ，７１ｄ，７１ｄ，７１ｅの庇部からの落下が容易になる。
【００４４】
則ち、紙葉類７１ａ，７１ｂ，７１ｃ，７１ｄ，７１ｄ，７１ｅのそれぞれの端部の下面を保持長Δｄcの庇部によってそれぞれ支持し、紙葉類７１ａ，７１ｂ，７１ｃ，７１ｄ，７１ｄ，７１ｅの端部の位置をガイドして揃えることにより、紙葉類７１ａ，７１ｂ，７１ｃ，７１ｄ，７１ｄ，７１ｅのそれぞれに対する第１の凸刃及び第２の凸刃による穿孔位置及び穿孔間隔を精密に制御し、統一することができる。用紙ガイド２９ｃに紙葉類７１ａ，７１ｂ，７１ｃ，……のそれぞれの端部を水平に撓み等がないように揃えて収納することにより、パンチ孔の間隔のずれ（拡大）がないように、間隔を規格値に正確且つ精密に統一できるので、第１の綴り棒１２ａ及び第２の綴り棒１２ｂにガイドされた自由落下もスムーズになり、５０枚、１００枚、２００枚等の多数の枚数の紙葉類７１ａ，７１ｂ，７１ｃ，……を、整然とそれぞれの端部が揃うように整合させ、効率良く収納保持（ストック）することができる。用紙ガイド２９ｃは図３０に示すように、Ａ４，Ｂ５，Ａ５等の種々のサイズの紙葉類７１ａ，７１ｂ，７１ｃ，……の両側端部の位置を表示するとともに、紙押さえ部２１ｄの中央に設けられた窓部から、用紙ガイド２９ｃの中央に配置されたセンター位置が視認できるように構成されている。
【００４５】
図３０（ｂ）において、紙押さえ部２１ｄの中央に設けられた窓部から、紙押さえ部２１ｄをロックし、同時に紙葉類７１ａ，７１ｂ，７１ｃ，……を用紙ガイド２９ｃの庇部の上から強制的に送り出すロックレバー７２の頂部の一部が見えている。一方、 図３０（ａ）に示すように、用紙ガイド２９ｃの中央付近には、ロックレバー７２の位置に対向して矩形板状のロックプレート２６ｍが設けられている。ロックプレート２６ｍの上には用紙押出ピン７３が摺動可能に設けられている。第３の実施の形態に係る穿孔機能付きファイルのロック機構を構成するロックレバー７２は断面形状がほぼ逆Ｖ字型の板バネであり、ロックレバー７２の下側の端部（固定端部）は固定ネジ７４ａ，７４ｂによってベース１１に固定されている。図３１に示すような紙押さえ部２１ｄが開放状態の場合は、図３３（ｂ）に示すように、固定端部に対向する、逆Ｖ字型のロックレバー７２の可動端部の側面がロックプレート２６ｍの突出部の左端面を、弾性力で押圧している。
【００４６】
第３の実施の形態に係る穿孔機能付きファイルは、図３２に示すように、紙押さえ部２１ｄがヒンジ部３５を支点としてベース１１に対して回転移動して紙葉類１ｅを穿孔すると、逆Ｖ字型のロックレバー７２の可動端部の先端がロックプレート２６ｍの突出部の上面に移動する。逆Ｖ字型のロックレバー７２の可動端部の先端がロックプレート２６ｍの突出部の上面に掛けられると、図３３（ａ）に示すように、ロックレバー７２の弾性力により、可動端部の先端はロックプレート２６ｍ上を摺動し、ロックプレート２６ｍ上に設けられた用紙押出ピン７３を右方向に保持長Δｄcの距離駆動する。可動端部の先端の横面が用紙押出ピン７３を紙葉類１ｅを右方向に保持長Δｄcの距離分移動させることにより、図３２に示すように、紙葉類１ｅの端部を用紙ガイド２９ｃの庇部からの落下させることができる。ロックレバー７２の可動端部がロックプレート２６ｍの位置を固定して、紙押さえ部２１ｄのベース１１に対する相対的位置を固定（ロック）することにより、 図３２に示すように、穿孔後の紙葉類７１ａ，７１ｂ，７１ｃ，……が、それぞれ第１の綴り棒１２ａ及び第２の綴り棒１２ｂによって収納保持（ストック）され、離脱しないようにファイル帳に収納できる。第３の実施の形態に係る穿孔機能付きファイルにおいては、第１の実施の形態に係る穿孔機能付きファイルとは異なり、用紙押出ピン７３を備えているので、第１の綴り棒１２ａ及び第２の綴り棒１２ｂの突出長Δｄ0は保持長Δｄcよりも短くても、確実に、紙葉類１ｅの端部を用紙ガイド２９ｃの庇部からの落下させることができる。又、用紙ガイド２９ｃの庇部の幅は、両端部の幅を長くしておけばよいので、中央部の幅で決まる保持長Δｄcの値そのものも、第１の実施の形態の保持長Δｄc＝よりも短くできる。よって、例えば、用紙ガイド２９ｃの長手方向の中央部における保持長Δｄc＝１．３ｍｍ〜３ｍｍ程度の値が採用可能であり、より好ましくは、保持長Δｄc＝１．５ｍｍ〜３．０ｍｍ程度の値が採用可能である。この場合、第１の凸刃及び第２の凸刃の突出長Δｄ0は０．８ｍｍ〜１．５ｍｍ程度の値が採用可能である。
【００４７】
図３０（ｂ）に示した紙押さえ部２１ｄの中央の窓部を用いて、ロックレバー７２の頂部の位置を駆動すると、ロックレバー７２の可動端部の先端がロックプレート２６ｍ上を左方向に摺動し、図３３（ｂ）に示すように、ロックレバー７２の可動端部の先端がロックプレート２６ｍ上から落下し、ロックレバー７２のロックプレート２６ｍに対する固定が解除される。ロックレバー７２のロックプレート２６ｍに対する固定が解除されると、ロックプレート２６ｍは上方に移動可能になる。則ち、ロックレバー７２のロックプレート２６ｍに対する固定が解除されると、紙押さえ部２１ｄはヒンジ部３５を支点として、上方に回転移動（スイング）して、図３０（ａ）及び図３１に示すような開放状態となる。なお、図示を省略しているが、ヒンジ部３５を介してヒンジ部設置板２３と紙押さえ部２１ｄとに両端（両アーム）をそれぞれ固定したねじりバネ等の弾性体を設けておけば、ロックレバー７２による固定を解除すれば、紙押さえ部２１ｄがねじりバネの弾性力で上方にスイングして跳ね上がるので、紙押さえ部２１ｄを開放する作業が容易になる。
【００４８】
図３１及び図３２に示したように、第３の実施の形態に係る穿孔機能付きファイルにおいては、第１の綴り棒１２ａ及び第２の綴り棒１２ｂのそれぞれの先端部の径を他の部分の径よりも大きくし、この先端部に第１の凸刃及び第２の凸刃を設けているので、穿孔されたパンチ孔の内径と、第１の綴り棒１２ａ及び第２の綴り棒１２ｂの先端部以外の箇所の外径には一定の遊び（空隙）が存在する。これにより、穿孔された紙葉類７１ａ，７１ｂ，７１ｃ，……が、第１の綴り棒１２ａ及び第２の綴り棒１２ｂに、一定の遊びを有してガイドされるので、紙葉類７１ａ，７１ｂ，７１ｃ，……が第１の綴り棒１２ａ及び第２の綴り棒１２ｂに対して、第１の綴り棒１２ａ及び第２の綴り棒１２ｂの長手方向に沿って、自在に移動できる。このため、穿孔された紙葉類７１ａ，７１ｂ，７１ｃ，……のストック時の位置調整や、穿孔された紙葉類７１ａ，７１ｂ，７１ｃ，……の取り出しが容易に可能になる。
【００４９】
第１及び第２の実施の形態に係る穿孔機能付きファイルで説明したとおり、第１の凸刃及び第２の凸刃のそれぞれの先端が、用紙ガイド２９ｃに向かって嘴状に突出するように、第１の綴り棒１２ａ及び第２の綴り棒１２ｂの先端部の形状が、第１の綴り棒１２ａ及び第２の綴り棒１２ｂの長手方向に沿った中心軸に関して非対称に構成され、更に、第１の凸刃及び第２の凸刃の上端部の外周側が水平面に対しシャー角θを有したシャー面を構成しているので、本来的に、第１の凸刃及び第２の凸刃のそれぞれが、紙葉類７１ａ，７１ｂ，７１ｃ，……を穿孔後、紙葉類７１ａ，７１ｂ，７１ｃ，……が用紙ガイド２９ｃから自動的に落下可能な構成であるが、第３の実施の形態に係る穿孔機能付きファイルでは、更に、ロックレバー７２の弾性力により、ロックレバー７２の可動端部の先端の横面が用紙押出ピン７３を移動させることにより、紙葉類７１ａ，７１ｂ，７１ｃ，……を用紙ガイド２９ｃの庇部からの落下させることができる構造となっているので、より確実に、紙葉類７１ａ，７１ｂ，７１ｃ，……が用紙ガイド２９ｃから強制的に落下させることができる。
【００５０】
このように、第３の実施の形態に係る穿孔機能付きファイルによれば、紙押さえ部２１ｄに設けられた用紙ガイド２９ｃに紙葉類７１ｅの端部を挿入した後、紙押さえ部２１ｄを、ヒンジ部３５を介してスイング駆動して、第１の綴り棒１２ａ及び第２の綴り棒１２ｂと噛み合わせた後固定するというワンタッチの作業で、瞬時に、紙葉類７１ａ，７１ｂ，７１ｃ，……が用紙ガイド２９ｃから強制的に落下させることができる。この結果、ワンタッチの作業で、紙葉類７１ｅのパンチ孔間隔を規格値に統一した穿孔と、穿孔が完了した紙葉類７１ｅの第１の綴り棒１２ａ及び第２の綴り棒１２ｂによる収納保持（ストック）が、簡単且つ迅速に達成できる。なお、第３の実施の形態に係る穿孔機能付きファイルによれば、紙葉類７１ａ，７１ｂ，７１ｃ，……が用紙ガイド２９ｃから強制的に落下させることができるので、図７、図８、図１０及び図１２に示した長手方向の中心軸に対して対称的な構造を有する綴り棒１２ｄ，１２ｅ，１２ｇ，１２ｉを第１及び第２の綴り棒として採用しても、ワンタッチの作業で、瞬時に、撓み等のない状態の実現と、紙葉類７１ａ，７１ｂ，７１ｃ，……が用紙ガイド２９ｃから強制的に落下させることができる。この結果、ワンタッチの作業で、紙葉類７１ａ，７１ｂ，７１ｃ，……のパンチ孔間隔を規格値に統一した穿孔と、穿孔が完了した紙葉類７１ａ，７１ｂ，７１ｃ，……の第１及び第２の綴り棒のガイドによるスムーズな自由落下による移動及び整列等を含む、一連の連続した６工程が、途中で作業者が紙葉類に手を触れることなく、自動的に実行される。そして、このワンタッチで６工程が瞬時に実行される作業を、随時必要に応じて繰り返すことにより、最終的に多数の枚数の紙葉類７１ａ，７１ｂ，７１ｃ，……の端部を揃えた整然とした収納保持（ストック）が、簡単且つ迅速に達成できる。更に、第１の綴り棒１２ａ及び第２の綴り棒１２ｂのそれぞれの先端部の径を他の部分の径よりも大きくして、先端部以外の箇所の外径には一定の遊び（空隙）が存在するので収納された紙葉類７１ａ，７１ｂ，７１ｃ，……の取り出しが容易で、取り出し時に紙葉類７１ａ，７１ｂ，７１ｃ，……が破れる問題もない。又、第３の実施の形態に係る穿孔機能付きファイルによれば、パンチ孔間隔が規格値に適合するように制御して穿孔されるので、従来の穿孔機能を備えないバインダとの整合性も確保できる。
【００５１】
（第４の実施の形態）
本発明の第４の実施の形態に係る穿孔機能付きファイルは、図３４〜図３６に示すように、表紙と裏表紙とを背表紙を介して接続したファイル帳（図示省略。図４，図５及び図１９参照。）と、裏表紙の背表紙側の端部の中央に固着されたベース１１と、先端部の径を他の部分の径よりも大きくし、この先端部に第１の凸刃を設けた第１の綴り棒１２ｒと、第１の綴り棒１２ｒから離間し、第１の綴り棒１２ｒと同一形状、同一寸法を有し、先端部に第２の凸刃を設けた第２の綴り棒（図示省略。）と、第１の凸刃及び第２の凸刃の配列方向と平行方向に、第１の凸刃及び第２の凸刃から等距離となるように、線状に設定された基準位置決定部を基準とし、この基準位置決定部からそれぞれ等距離に設けられ、第１の凸刃及び第２の凸刃にそれぞれ陥合する第１の凹刃（ダイ）２２ａ及び第２の凹刃（ダイ）（図示省略。）を開孔し、第１及び第２の綴り棒の先端部の一部を収納可能とし、且つ第１の凹刃（ダイ）２２ａ及び第２の凹刃（ダイ）に連続した紙屑収納空間２５（図３５及び図３６参照。）を内部に設け、ベース１１に対し相対的に移動可能な紙押さえ部２１ｂとを備える点では、第１〜第３の実施の形態に係る穿孔機能付きファイルと同様である。
【００５２】
しかしながら、図３４〜図３６に示すように、第４の実施の形態に係る穿孔機能付きファイルにおいては、第１の綴り棒１２ｒ及び第２の綴り棒がベース１１の垂直方向に対し傾斜角ηの方向を長手方向として定義している。そして、図３４〜図３６に示すように、第４の実施の形態に係る穿孔機能付きファイルの第１の綴り棒１２ｒ及び第２の綴り棒が、ベース１１の垂直方向に対し傾斜角ηで、傾斜して固定されている点で、第１〜第３の実施の形態に係る穿孔機能付きファイルの構造とは異なる。傾斜角ηとしては、８〜２０°程度が好ましく、更に１０〜１５°程度が、より好ましい傾斜角ηの範囲である。
【００５３】
又、図示を省略しているが、紙押さえ部２１ｂの一部には、紙屑取出蓋が設けられ、随時、紙屑収納空間にたまった紙屑（パンチ滓）を排出可能にしている。ベース１１の背表紙側の端部には、ヒンジ部設置板２３の下端が接続されている。ヒンジ部設置板２３は、側壁として機能するように、ベース１１に対してＬ字型に接続され、固定されている。このヒンジ部設置板２３の上端にヒンジ部３５が設けられ、ヒンジ部３５が、第４の実施の形態に係る穿孔機能付きファイルの基準位置決定部として機能している。そして、図３４．図３５及び図３６を比較すれば分かるように、このヒンジ部３５を支点として、紙押さえ部２１ｂが、ベース１１に対して回転移動することにより、スイング式の運動軌跡に沿って、第１の凹刃（ダイ）２２ａ及び第２の凹刃（ダイ）が、それぞれ第１の凸刃及び第２の凸刃に同時に陥合する。
【００５４】
第４の実施の形態に係る穿孔機能付きファイルは、図３４〜図３６に示すように、紙押さえ部２１ｂのベース１１に対向する面側には、傾斜フック２６INCが、鈍角の開放角の凹部を構成するように、紙葉類端部整合面に対し傾斜して設けられている。傾斜フック２６INCは、被処理対象である紙葉類の端部をＶ字型の凹部の一番奥の紙葉類端部整合面に衝突するように挿入して、紙葉類の端部を水平に撓み等がないように保持した状態で、紙葉類の端部の位置を決定し、端部における穿孔位置及び穿孔間隔を制御する「端部制御機構」として機能する。図３４に示すように、被処理対象である紙葉類７１ｅを作業者の指１で保持して、紙葉類７１ｅの端部を傾斜フック２６INCによって構成された凹部に挿入し、紙葉類７１ｅの端部の下面を保持長Δｄ1の庇部によって支持し、紙葉類７１ｅの端部の位置を紙葉類端部整合面で揃えることにより、紙葉類７１ａ，７１ｂ，７１ｃ，７１ｄ，７１ｄ，７１ｅのそれぞれに対する第１の凸刃及び第２の凸刃による穿孔位置及び穿孔間隔を精密に制御し、統一することができる。傾斜フック２６INCに紙葉類７１ａ，７１ｂ，７１ｃ，……のそれぞれの端部を水平に撓み等がないように揃えて収納することにより、パンチ孔の間隔のずれ（拡大）がないように、間隔を規格値に正確且つ精密に統一できるので、第１の綴り棒１２ｒ及び第２の綴り棒にガイドされた自由落下もスムーズになり、５０枚、１００枚、２００枚等の多数の枚数の紙葉類７１ａ，７１ｂ，７１ｃ，……を、整然とそれぞれの端部が揃うように整合させ、効率良く収納保持（ストック）することができる。
【００５５】
第４の実施の形態に係る穿孔機能付きファイルは、更に、図３６（ｂ）に示すように断面形状がＳ字型の板バネからなるロックレバー７５を備えロック機構を構成している。ロック機構をなすロックレバー７５の下側の端部（固定端）は、ベース１１に固定されている。そして、 第１の実施の形態に係る穿孔機能付きファイルと同様であるが、 図３４〜図３６（ａ）に示すように、紙押さえ部２１ｂのベース１１に対向する面の中央付近には、ロックレバー７５の位置に対向してＬ字型に折り曲げられた帯状の鈎部６１が設けられている。この結果、第４の実施の形態に係る穿孔機能付きファイルにおいては、紙押さえ部２１ｂをスイング運動させて、紙葉類７１ａ，７１ｂ，７１ｃ，……を穿孔すると、図３６（ｂ）に示すように、Ｓ字の側面形状をなすロックレバー７５の上側の端部（開放端）が鈎部６１の突出部の上面に掛けられる位置にまで、鈎部６１が下降する。鈎部６１の位置が移動した結果、ロックレバー７５の開放端の先端が鈎部６１に掛かることにより、ロックレバー７５が鈎部６１の位置を固定して、紙押さえ部２１ｂのベース１１に対する相対的位置を固定（ロック）する。則ち、ロックレバー７５を用いて、紙押さえ部２１ｂのスイング運動を固定して、 穿孔後の紙葉類７１ａ，７１ｂ，７１ｃ，……が、それぞれ第１の綴り棒１２ｒ及び第２の綴り棒によって収納保持（ストック）され、離脱しないようにファイル帳に収納できる。
【００５６】
紙押さえ部２１ｂの下方へのスイング運動に伴うロックレバー７５のロック動作により、 穿孔後の紙葉類７１ａ，７１ｂ，７１ｃ，……が、それぞれ第１の綴り棒１２ｒ及び第２の綴り棒によって収納保持（ストック）され、離脱しないように収納できる。一方、図示を省略した紙押さえ部２１ｂの中央の窓部を用いて、ロックレバー７５の頂部の位置を駆動すると、図３５に示したように、ロックレバー７５の鈎部６１に対する固定が解除され、鈎部６１は上方に移動可能になる。ロックレバー７５の鈎部６１に対する固定が解除されると、紙押さえ部２１ｂはヒンジ部３５を支点として、上方に回転移動（スイング）して、図３４に示すような開放状態となる。なお、図示を省略しているが、ヒンジ部３５を介してヒンジ部設置板２３と紙押さえ部２１ｂとに両端（両アーム）をそれぞれ固定したねじりバネ等の弾性体を設けておけば、ロックレバー７５の鈎部６１に対する固定を解除すれば、紙押さえ部２１ｂがねじりバネの弾性力で上方にスイングして跳ね上がるので、紙押さえ部２１ｂを開放する作業が容易になる。
【００５７】
図３４〜図３６に示したように、第４の実施の形態に係る穿孔機能付きファイルにおいては、第１の綴り棒１２ｒ及び第２の綴り棒のそれぞれの先端部の径を他の部分の径よりも大きくし、この先端部に第１の凸刃及び第２の凸刃を設けているので、穿孔されたパンチ孔の内径と、第１の綴り棒１２ｒ及び第２の綴り棒の先端部以外の箇所の外径には一定の遊び（空隙）が存在する。これにより、穿孔された紙葉類７１ａ，７１ｂ，７１ｃ，……が、第１の綴り棒１２ｒ及び第２の綴り棒に、一定の遊びを有してガイドされるので、紙葉類７１ａ，７１ｂ，７１ｃ，……が第１の綴り棒１２ｒ及び第２の綴り棒に対して、第１の綴り棒１２ｒ及び第２の綴り棒の長手方向に沿って、自在に移動できる。このため、穿孔された紙葉類７１ａ，７１ｂ，７１ｃ，……のストック時の位置調整や、穿孔された紙葉類７１ａ，７１ｂ，７１ｃ，……の取り出しが容易に可能になる。
【００５８】
第１〜第３の実施の形態に係る穿孔機能付きファイルで説明したとおり、第１の凸刃及び第２の凸刃のそれぞれの先端が、傾斜フック２６INCに向かって嘴状に突出するように、第１の綴り棒１２ｒ及び第２の綴り棒の先端部の形状が、第１の綴り棒１２ｒ及び第２の綴り棒の長手方向に沿った中心軸に関して非対称に構成され、更に、第１の凸刃及び第２の凸刃の上端部の外周側が水平面に対しシャー角θを有したシャー面を構成しているので、第１の凸刃及び第２の凸刃のそれぞれが、紙葉類７１ａ，７１ｂ，７１ｃ，……を穿孔後は、本来的に、紙葉類７１ａ，７１ｂ，７１ｃ，……が傾斜フック２６INCから自動的に落下する。しかしながら、第４の実施の形態に係る穿孔機能付きファイルにおいては、更に、 第１の綴り棒１２ｒ及び第２の綴り棒が、ベース１１の垂直方向に対し傾斜角ηで、傾斜して固定されているので、より確実に、穿孔後の紙葉類７１ａ，７１ｂ，７１ｃ，……の傾斜フック２６INCからの落下が促進される。
【００５９】
このように、第４の実施の形態に係る穿孔機能付きファイルによれば、紙押さえ部２１ｂに設けられた傾斜フック２６INCに紙葉類７１ｅの端部を挿入した後、紙押さえ部２１ｂを、ヒンジ部３５を介してスイング駆動して、第１の綴り棒１２ｒ及び第２の綴り棒と噛み合わせた後固定するというワンタッチの作業で、瞬時に、紙葉類７１ｅのパンチ孔間隔を規格値に統一した穿孔と、穿孔が完了した紙葉類７１ｅの第１の綴り棒１２ｒ及び第２の綴り棒による収納保持（ストック）が、より確実な穿孔後の紙葉類７１ａ，７１ｂ，７１ｃ，……の傾斜フック２６INCからの落下を伴って、簡単且つ迅速に達成できる。なお、第４の実施の形態に係る穿孔機能付きファイルによれば、紙葉類７１ａ，７１ｂ，７１ｃ，……が用紙ガイド２９ｃを効率良く落下させることができるので、図７、図８、図１０及び図１２に示した長手方向の中心軸に対して対称的な構造を有する綴り棒１２ｄ，１２ｅ，１２ｇ，１２ｉを、それぞれ、ベース１１の垂直方向に対し傾斜角ηで傾斜した構造に変形して、第１及び第２の綴り棒として採用しても、 傾斜した構造の効果により、ワンタッチの作業で、瞬時に、撓み等のない状態の実現と、紙葉類７１ａ，７１ｂ，７１ｃ，……が用紙ガイド２９ｃから強制的に落下させることができる。この結果、ワンタッチの作業で、紙葉類７１ａ，７１ｂ，７１ｃ，……のパンチ孔間隔を規格値に統一した穿孔と、穿孔が完了した紙葉類７１ａ，７１ｂ，７１ｃ，……の第１及び第２の綴り棒のガイドによるスムーズな自由落下による移動及び整列等を含む、一連の連続した６工程が、途中で作業者が紙葉類に手を触れることなく、自動的に実行される。そして、このワンタッチで６工程が瞬時に実行される作業を、随時必要に応じて繰り返すことにより、最終的に多数の枚数の紙葉類７１ａ，７１ｂ，７１ｃ，……の端部を揃えた整然とした収納保持（ストック）が、簡単且つ迅速に達成できる。更に、第１の綴り棒１２ｒ及び第２の綴り棒のそれぞれの先端部の径を他の部分の径よりも大きくして、先端部以外の箇所の外径には一定の遊び（空隙）が存在するので収納された紙葉類７１ａ，７１ｂ，７１ｃ，……の取り出しが容易で、取り出し時に紙葉類７１ａ，７１ｂ，７１ｃ，……が破れる問題もない。又、第４の実施の形態に係る穿孔機能付きファイルによれば、パンチ孔間隔が規格値に適合するように制御して穿孔されるので、従来の穿孔機能を備えないバインダとの整合性も確保できる。
【００６０】
（第５の実施の形態）
本発明の第５の実施の形態に係る穿孔機能付きファイルは、図２２〜図２４に示すように、表紙と裏表紙とを背表紙を介して接続したファイル帳３１と、裏表紙の背表紙側の端部の中央に固着されたベース１１と、ベース１１の垂直方向を長手方向とし、先端部の径を他の部分の径よりも大きくし、この先端部に第１の凸刃を設け、ベース１１に垂直方向に固定された第１の綴り棒１２ｐと、第１の綴り棒１２ｐから離間し、第１の綴り棒１２ｐと同一形状、同一寸法を有し、先端部に第２の凸刃を設け、ベース１１に垂直方向に固定された第２の綴り棒１２ｑと、第１の凸刃及び第２の凸刃の配列方向に沿って、第１の凸刃から第１の作用距離離間し、且つ配列方向に沿って、第２の凸刃から第２の作用距離離間した位置に設定された基準位置決定部を基準とし、この基準位置決定部から第１の作用距離離間して設けられ、第１の凸刃に陥合する第１の凹刃２２ｐ、この基準位置決定部から第２の作用距離離間して設けられ、第２の凸刃に陥合する第２の凹刃２２ｑをそれぞれ開孔し、第１及び第２の綴り棒１２ｑの先端部の一部を収納可能とし、ベース１１に対し相対的に移動可能な紙押さえ部２１ｆとを備える。
【００６１】
図２２〜図２４に示すように、第５の実施の形態に係る穿孔機能付きファイルは、基準位置決定部にヒンジ部３６を更に備え、このヒンジ部３６を支点として、紙押さえ部２１ｆが、ベース１１に対して回転移動することにより、第１の凹刃２２ｐ及び第２の凹刃２２ｑが、それぞれ第１の凸刃及び第２の凸刃に逐次、陥合する。ベース１１の一方の端部の近傍のファイル帳３１の裏表紙には、図２２に示すように、ヒンジ部設置ブロック８４の下端が接続されている。このヒンジ部設置ブロック８４の上端にヒンジ部３６が設けられ、ヒンジ部３６が、第５の実施の形態に係る穿孔機能付きファイルの基準位置決定部として機能している。そして、図２３と図２４を比較すれば分かるように、このヒンジ部３６を支点として、紙押さえ部２１ｆが、ベース１１に対して回転移動することにより、スイング式の運動軌跡に沿って、第１の凹刃（ダイ）２２ｐ及び第２の凹刃（ダイ）２２ｑが、それぞれ第１の凸刃及び第２の凸刃に同時に陥合する。
【００６２】
図示を省略しているが、第５の実施の形態に係る穿孔機能付きファイルにおいても、例えば、図１４に示したようなＬ字型の用紙ガイドを備えるようにすることが好ましい。Ｌ字型の用紙ガイドは、紙押さえ部２１ｆの背表紙側の端部に、紙押さえ部２１ｆと平行方向に延在するように設けらればよい。用紙ガイドは、被処理対象である紙葉類の端部を挿入して、紙葉類の端部を水平に撓み等がないように保持した状態で、紙葉類の端部の位置を決定し、端部における穿孔位置及び穿孔間隔を制御する「端部制御機構」として機能する。被処理対象である紙葉類７１ｅを作業者の指１で保持して、紙葉類７１ｅの端部を図２３の紙面の奥の方で、Ｌ字型の用紙ガイドによって構成された段差部に挿入し、紙葉類７１ｅの端部の下面を所定の保持長の庇部によって支持し、紙葉類７１ｅの端部の位置をガイドして揃えることにより、紙葉類７１ａ，７１ｂ，７１ｃ，７１ｄ，７１ｄのそれぞれに対する第１の凸刃及び第２の凸刃による穿孔位置及び穿孔間隔を精密に制御し、統一することができることは、第１〜第4の実施の形態に係る穿孔機能付きファイルと同様である。用紙ガイドに紙葉類７１ａ，７１ｂ，７１ｃ，……のそれぞれの端部を水平に撓み等がないように揃えて収納することにより、パンチ孔の間隔のずれ（拡大）がないように、間隔を規格値に正確且つ精密に統一できるので、第１の綴り棒１２ｐ及び第２の綴り棒１２ｑにガイドされた自由落下もスムーズになり、５０枚、１００枚、２００枚等の多数の紙葉類７１ａ，７１ｂ，７１ｃ，……を、整然とそれぞれの端部が揃うように整合させ、効率良く収納保持（ストック）することができる。用紙ガイドには、図１４に示したのと同様な、Ａ４，Ｂ５，Ａ５等の種々のサイズの紙葉類７１ａ，７１ｂ，７１ｃ，……の両側端部の位置を表示しておけばよい。
【００６３】
図２２において、紙押さえ部２１ｆの上端に紙押さえ部２１ｆをロックするロック機構を構成するロックレバー８５の頂部の一部が見えている。第５の実施の形態に係る穿孔機能付きファイルは、図２３及び図２４に示すように、鈎型の側面形状をなすロックレバー８５の顎の下が紙押さえ部２１ｆの端部の上面に掛けられる。ロックレバー８５の頭を図２３の紙面の奥から前方向にスイングし、ロックレバー８５の顎の下が紙押さえ部２１ｆの端部に掛け、紙押さえ部２１ｆの端部の位置を固定して、紙押さえ部２１ｆのベース１１に対する相対的位置を固定（ロック）することにより、 穿孔後の紙葉類７１ａ，７１ｂ，７１ｃ，……が、それぞれ第１の綴り棒１２ｐ及び第２の綴り棒１２ｑによって収納保持（ストック）され、離脱しないように収納できる。なお、図示を省略しているが、第１〜第4の実施の形態に係る穿孔機能付きファイルと同様に、紙押さえ部２１ｆを屋根付きの膨らんだ構造とし、紙押さえ部２１ｆの内部（屋根の下）に、紙屑収納空間を配置し、穿孔後の紙屑（パンチ滓）を紙屑収納空間に収納できるようにしてもよい。特に、第１の綴り棒１２ｐ及び第２の綴り棒１２ｑの先端に設けられた鋭利な凸刃により、指等を傷つけない安全性のためには、紙押さえ部２１ｆに屋根を設けて、屋根の下に構成される紙屑収納空間の内部に凸刃が収納される構造が好ましい。紙押さえ部２１ｆの内部に紙屑収納空間を設けた場合には、紙押さえ部２１ｆの側壁や上部の一部又は全部に紙屑取出蓋を設け、随時、紙屑取出蓋を解放して、紙屑収納空間にたまった紙屑（パンチ滓）を排出可能にすることが好ましいことも、第１〜第4の実施の形態に係る穿孔機能付きファイルと同様である。
【００６４】
図２４に示したロックレバー８５のロック動作により、
穿孔後の紙葉類７１ａ，７１ｂ，７１ｃ，……が、それぞれ第１の綴り棒１２ｐ及び第２の綴り棒１２ｑによって収納保持（ストック）され、離脱しないように収納できる。一方、 図２４に示した状態で、ロックレバー８５の頂部の位置を紙面の奥方向にスイングするように駆動すると、ロックレバー８５の紙押さえ部２１ｆの端部に対する固定が解除され、紙押さえ部２１ｆの端部は上方に移動可能になる。ロックレバー８５の紙押さえ部２１ｆの端部に対する固定が解除されると、紙押さえ部２１ｆはヒンジ部３６を支点として、上方に回転移動（スイング）して、図２３に示すような開放状態に戻る。なお、図示を省略しているが、ヒンジ部３６を介してヒンジ部設置ブロック８４と紙押さえ部２１ｆとに両端（両アーム）をそれぞれ固定したねじりバネ等の弾性体を設けておけば、ロックレバー８５の固定を解除すれば、紙押さえ部２１ｆがねじりバネの弾性力で上方にスイングして跳ね上がるので、紙押さえ部２１ｆを開放する作業が容易になる。
【００６５】
図２３及び図２４に示した断面図では第１の綴り棒１２ｐ及び第２の綴り棒１２ｑはあたかもストレートな円柱状であるかのように示されているが、第５の実施の形態に係る穿孔機能付きファイルにおいては、図２３及び図２４の紙面の奥の方に向かって、第１の綴り棒１２ｐ及び第２の綴り棒１２ｑのそれぞれの先端部の径を他の部分の径よりも大きくし、この先端部に第１の凸刃及び第２の凸刃を設けているので、穿孔されたパンチ孔の内径と、第１の綴り棒１２ｐ及び第２の綴り棒１２ｑの先端部以外の箇所の外径には一定の遊び（空隙）が存在することは、第１〜第4の実施の形態に係る穿孔機能付きファイルと同様である。
【００６６】
則ち、第１〜第4の実施の形態に係る穿孔機能付きファイルと同様に、穿孔された紙葉類７１ａ，７１ｂ，７１ｃ，……が、第１の綴り棒１２ｐ及び第２の綴り棒１２ｑに、一定の遊びを有してガイドされるので、紙葉類７１ａ，７１ｂ，７１ｃ，……が第１の綴り棒１２ｐ及び第２の綴り棒１２ｑに対して、第１の綴り棒１２ｐ及び第２の綴り棒１２ｑの長手方向に沿って、自在に移動できる。このため、穿孔された紙葉類７１ａ，７１ｂ，７１ｃ，……のストック時の位置調整や、穿孔された紙葉類７１ａ，７１ｂ，７１ｃ，……の取り出しが容易に可能になる。
【００６７】
特に、第１〜第4の実施の形態に係る穿孔機能付きファイルで説明したとおり、第１の凸刃及び第２の凸刃のそれぞれの先端が、紙面の奥に位置する用紙ガイドに向かって嘴状に突出するように、第１の綴り棒１２ｐ及び第２の綴り棒１２ｑの先端部の形状が、第１の綴り棒１２ｐ及び第２の綴り棒１２ｑの長手方向に沿った中心軸に関して非対称に構成されている。則ち、図２３及び図２４において第１の綴り棒１２ｐ及び第２の綴り棒１２ｑの上端部の外周側は、右下がりのシャー角θを示しているが、右下がりの第1のシャー角θに加えて、図２３及び図２４の紙面の奥に向かって昇る第２のシャー角θがあるので、第１の綴り棒１２ｐ及び第２の綴り棒１２ｑの上端部の外周側が構成するシャー面は紙面の手前側の右側に向かう傾斜を有する。
【００６８】
第５の実施の形態に係る穿孔機能付きファイルにおいては、第１の綴り棒１２ｐ及び第２の綴り棒１２ｑの上端部の外周側が構成するシャー面は紙面の手前側の右側に向かう傾斜を有するので、穿孔時に紙押さえ部２１ｆから紙葉類７１ａ，７１ｂ，７１ｃ，……に対して、垂直方向に加えられる加工応力が、紙葉類７１ａ，７１ｂ，７１ｃ，……を垂直方向に外周抜きを行う打ち抜き剪断力成分と、紙葉類７１ａ，７１ｂ，７１ｃ，……を水平方向（図２３において右方向且つ紙面の手前方向）に移動させる水平駆動力成分とに分解できる。このため、用紙ガイドによって構成された凹部に挿入された紙葉類７１ｅの紙面の奥の端部が、剪断加工の開始に伴い右方向且つ紙面の手前方向に駆動され、更に、剪断加工が進行して、紙屑（パンチ滓）が形成された段階では、紙葉類７１ｅは用紙ガイドの庇部の幅に相当する距離分紙面の手前方向の平行移動がなされる。
【００６９】
このように、第５の実施の形態に係る穿孔機能付きファイルによれば、第１の凸刃及び第２の凸刃のそれぞれが、紙葉類７１ａ，７１ｂ，７１ｃ，……を穿孔後、第１の綴り棒１２ｐ及び第２の綴り棒１２ｑの先端部の非対称の形状の効果によって、紙葉類７１ａ，７１ｂ，７１ｃ，……が用紙ガイドから自動的に落下し、それぞれ第１の綴り棒１２ｐ及び第２の綴り棒１２ｑによって収納保持（ストック）される。したがって、第５の実施の形態に係る穿孔機能付きファイルによれば、紙押さえ部２１ｆに設けられた用紙ガイドに紙葉類７１ｅの端部を挿入した後、紙押さえ部２１ｆを、ヒンジ部３６を介してスイング駆動して、第１の綴り棒１２ｐ及び第２の綴り棒１２ｑと噛み合わせた後、ロックレバー８５で紙押さえ部２１ｆの端部を固定する、というワンタッチの作業で、瞬時に、紙葉類７１ａ，７１ｂ，７１ｃ，……のパンチ孔間隔を規格値に統一した穿孔と、穿孔が完了した紙葉類７１ａ，７１ｂ，７１ｃ，……の第１の綴り棒１２ｐ及び第２の綴り棒１２ｑのガイドによるスムーズな自由落下による移動及び整列等を含む、一連の連続した６工程が、途中で作業者が紙葉類に手を触れることなく、自動的に実行される。そして、このワンタッチで６工程が瞬時に実行される作業を、随時必要に応じて繰り返すことにより、最終的に多数の枚数の紙葉類７１ａ，７１ｂ，７１ｃ，……の端部を揃えた整然とした収納保持（ストック）が、簡単且つ迅速に達成できる。更に、第１の綴り棒１２ｐ及び第２の綴り棒１２ｑのそれぞれの先端部の径を他の部分の径よりも大きくして、先端部以外の箇所の外径には一定の遊び（空隙）が存在するので収納された紙葉類７１ａ，７１ｂ，７１ｃ，……の取り出しが容易で、取り出し時に紙葉類７１ａ，７１ｂ，７１ｃ，……が破れる問題もない。又、第５の実施の形態に係る穿孔機能付きファイルによれば、パンチ孔間隔が規格値に適合するように制御して穿孔されるので、従来の穿孔機能を備えないバインダとの整合性も確保できる。
【００７０】
（第６の実施の形態）
本発明の第６の実施の形態に係る穿孔機能付きファイルは、図２１に示すように、表紙と裏表紙とを背表紙を介して接続したファイル帳（図示省略。図４，図５及び図１９等参照。）と、裏表紙の背表紙側の端部の中央に固着されたベース１１と、ベース１１の垂直方向を長手方向とし、先端部の径を他の部分の径よりも大きくし、この先端部に第１の凸刃を設け、ベース１１に垂直方向に固定された第１の綴り棒１２ｋと、第１の綴り棒１２ｋから離間し、第１の綴り棒１２ｋと同一形状、同一寸法を有し、先端部に第２の凸刃を設け、ベース１１に垂直方向に固定された第２の綴り棒（紙面の奥のため図示を省略。）と、第１の凸刃及び第２の凸刃の配列方向と平行方向に、第１の凸刃及び第２の凸刃から等距離となるように、線状に設定された基準位置決定部を基準とし、この基準位置決定部からそれぞれ等距離に設けられ、第１の凸刃及び第２の凸刃にそれぞれ陥合する第１の凹刃（ダイ）２２ａ及び第２の凹刃（ダイ）（紙面の奥のため図示を省略。）を開孔し、第１及び第２の綴り棒の先端部の一部を収納可能とし、ベース１１に対し相対的に移動可能な紙押さえ部２１ｅとを備える点では、第１〜第４の実施の形態に係る穿孔機能付きファイルと同様である。
【００７１】
ベース１１の背表紙側には、円筒状のシリンダ部６５の下端が接続されている。シリンダ部６５の内部の下部には、コイルバネ又は円錐バネ等の押しバネ（圧縮バネ）６６が収納されている。紙押さえ部２１ｅの背表紙側の端部近傍には円柱状のピストン部６７が設けられている。このため、紙押さえ部２１ｅを垂直に押し下げると、ピストン部６７がシリンダ部６５の内壁にガイドされ、シリンダ部６５の内部を摺動できる。そして、図２１（ａ）と図２１（ｂ）を比較すれば分かるように、シリンダ部６５の内壁にガイドされて、ピストン部６７がシリンダ部６５の内部を摺動することにより、紙押さえ部２１ｅが、ベース１１に対して並進運動することにより、ギロチン式の運動軌跡に沿って、第１の凹刃（ダイ）２２ａ及び第２の凹刃（ダイ）が、それぞれ第１の凸刃及び第２の凸刃に同時に陥合する。
【００７２】
第６の実施の形態に係る穿孔機能付きファイルは、図２１に示すように、紙押さえ部２１ｅのベース１１に対向する面には、Ｌ字型のガイド用フック２６が設けられている。ガイド用フック２６は、被処理対象である紙葉類の端部を挿入して、紙葉類の端部を水平に撓み等がないように保持した状態で、紙葉類の端部の位置を決定し、端部における穿孔位置及び穿孔間隔を制御する「端部制御機構」として機能する。図２１（ａ）に示すように、被処理対象である紙葉類７１ｅの端部をＬ字型のガイド用フック２６によって構成された段差部に挿入し、紙葉類７１ｅの端部の下面を所定の保持長の庇部によって支持し、紙葉類７１ｅの端部の位置をガイドして揃えることにより、紙葉類７１ａ，７１ｂ，７１ｃ，７１ｄ，７１ｄのそれぞれに対する第１の凸刃及び第２の凸刃による穿孔位置及び穿孔間隔を精密に制御し、統一することができる。ガイド用フック２６に紙葉類７１ａ，７１ｂ，７１ｃ，……のそれぞれの端部を水平に撓み等がないように揃えて収納することにより、パンチ孔の間隔のずれ（拡大）がないように、間隔を規格値に正確且つ精密に統一できるので、第１の綴り棒１２ｋ及び第２の綴り棒にガイドされた自由落下もスムーズになり、５０枚、１００枚、２００枚等の多数の紙葉類７１ａ，７１ｂ，７１ｃ，……を、整然とそれぞれの端部が揃うように整合させ、効率良く収納保持（ストック）することができる。ガイド用フック２６の代わりに、図１４に示すように、Ａ４，Ｂ５，Ａ５等の種々のサイズの紙葉類７１ａ，７１ｂ，７１ｃ，……の両側端部の位置を表示した用紙ガイドを用いても構わない。
【００７３】
図２１に示すように、ベース１１の背表紙側の端部近傍には、ロック機構を構成するロックレバー８１が回転軸８２を用いて回転運動可能に設けられている。第６の実施の形態に係る穿孔機能付きファイルは、図２１（ｂ）に示すように、鈎型の側面形状をなすロックレバー８１の顎の下が紙押さえ部２１ｅの側面側端部の上面に掛けられる。ロックレバー８１の顎の下が紙押さえ部２１ｅの側面側端部の上面を押圧し、紙押さえ部２１ｅの側面側端部の位置を固定して、紙押さえ部２１ｅのベース１１に対する相対的位置を固定（ロック）することにより、 穿孔後の紙葉類７１ａ，７１ｂ，７１ｃ，……が、それぞれ第１の綴り棒１２ｋ及び第２の綴り棒によって収納保持（ストック）され、離脱しないように収納できる。紙押さえ部２１ｅを垂直に押し下げるという動作によって、シリンダ部６５の内壁にガイドされて、ピストン部６７がシリンダ部６５の内部を摺動し、紙押さえ部２１ｅがベース１１に対して垂直方向に並進運動することにより、紙押さえ部２１ｅの側面側端部の位置が下がるので、ロックレバー８１の頭を回転運動することにより、ロックレバー８１の顎の下に紙押さえ部２１ｅの側面側端部の上面が挿入される。
【００７４】
このロックレバー８１のロック動作により、 穿孔後の紙葉類７１ａ，７１ｂ，７１ｃ，……が、それぞれ第１の綴り棒１２ｋ及び第２の綴り棒によって収納保持（ストック）され、離脱しないように収納できる。一方、 図２１（ｂ）に示した状態で、ロックレバー８１の頂部の位置を左方向に回転駆動すると、ロックレバー８１の紙押さえ部２１ｅの側面側端部に対する固定が解除され、押しバネ（圧縮バネ）６６の弾性力により、紙押さえ部２１ｅの側面側端部は上方に移動して、図２１（ａ）に示すような開放状態に戻る。
【００７５】
図２１に示したように、第６の実施の形態に係る穿孔機能付きファイルにおいては、第１の綴り棒１２ｋ及び第２の綴り棒のそれぞれの先端部の径を他の部分の径よりも大きくし、この先端部に第１の凸刃及び第２の凸刃を設けているので、穿孔されたパンチ孔の内径と、第１の綴り棒１２ｋ及び第２の綴り棒の先端部以外の箇所の外径には一定の遊び（空隙）が存在する。これにより、穿孔された紙葉類７１ａ，７１ｂ，７１ｃ，……が、第１の綴り棒１２ｋ及び第２の綴り棒に、一定の遊びを有してガイドされるので、紙葉類７１ａ，７１ｂ，７１ｃ，……が第１の綴り棒１２ｋ及び第２の綴り棒に対して、第１の綴り棒１２ｋ及び第２の綴り棒の長手方向に沿って、自在に移動できる。このため、穿孔された紙葉類７１ａ，７１ｂ，７１ｃ，……のストック時の位置調整や、穿孔された紙葉類７１ａ，７１ｂ，７１ｃ，……の取り出しが容易に可能になる。
【００７６】
図２１に示すように、第１の綴り棒１２ｋ及び第２の綴り棒の上端部は、上端部の外周側が水平面に対しシャー角θを有した傾斜となるシャー面をそれぞれ構成しているので、穿孔時に紙押さえ部２１ｅから紙葉類７１ａ，７１ｂ，７１ｃ，……に対して、垂直方向に加えられる加工応力が、紙葉類７１ａ，７１ｂ，７１ｃ，……を垂直方向に外周抜きを行う打ち抜き剪断力成分と、紙葉類７１ａ，７１ｂ，７１ｃ，……を水平方向（図２１において右方向）に移動させる水平駆動力成分とに分解できる。このため、図２１（ａ）に示すように、Ｌ字型のガイド用フック２６によって構成された凹部に挿入された紙葉類７１ｅの左側の端部が、剪断加工の開始に伴い右方向に駆動され、剪断加工が進行して、紙屑（パンチ滓）が形成された段階では、紙葉類７１ｅはガイド用フック２６の庇部の幅に相当する距離の平行移動がなさ、紙葉類７１ｅの端部はガイド用フック２６から自動的に落下する。
【００７７】
第１〜第４の実施の形態に係る穿孔機能付きファイルで説明したとおり、第１の凸刃及び第２の凸刃のそれぞれの先端が、ガイド用フック２６に向かって嘴状に突出するように、第１の綴り棒１２ｋ及び第２の綴り棒の先端部の形状が、第１の綴り棒１２ｋ及び第２の綴り棒の長手方向に沿った中心軸に関して非対称に構成され、且つ上端部の外周側がシャー角θを有して傾斜しているので、第１の凸刃及び第２の凸刃のそれぞれが、紙葉類７１ａ，７１ｂ，７１ｃ，……を穿孔後、紙葉類７１ａ，７１ｂ，７１ｃ，……のそれぞれの端部がガイド用フック２６から自動的に落下し、それぞれ第１の綴り棒１２ｋ及び第２の綴り棒によって収納保持（ストック）される。
【００７８】
このように、第６の実施の形態に係る穿孔機能付きファイルによれば、紙押さえ部２１ｅに設けられたガイド用フック２６に紙葉類７１ｅの端部を挿入した後、紙押さえ部２１ｅを垂直に押し下げ、ピストン部６７をシリンダ部６５の内部を垂直方向に摺動させ、紙押さえ部２１ｅを並進駆動させ、第１の綴り棒１２ｋ及び第２の綴り棒と噛み合わせた後、ロックレバー８１で固定するというワンタッチの作業で、瞬時に、紙葉類７１ａ，７１ｂ，７１ｃ，……のパンチ孔間隔を規格値に統一した穿孔と、穿孔が完了した紙葉類７１ａ，７１ｂ，７１ｃ，……の第１の綴り棒１２ｋ及び第２の綴り棒のガイドによるスムーズな自由落下による移動及び整列等を含む、一連の連続した６工程が、途中で作業者が紙葉類に手を触れることなく、自動的に実行される。そして、このワンタッチで６工程が瞬時に実行される作業を、随時必要に応じて繰り返すことにより、最終的に多数の枚数の紙葉類７１ａ，７１ｂ，７１ｃ，……の端部を揃えた整然とした収納保持（ストック）が、簡単且つ迅速に達成できる。更に、第１の綴り棒１２ｋ及び第２の綴り棒のそれぞれの先端部の径を他の部分の径よりも大きくして、先端部以外の箇所の外径には一定の遊び（空隙）が存在するので収納された紙葉類７１ａ，７１ｂ，７１ｃ，……の取り出しが容易で、取り出し時に紙葉類７１ａ，７１ｂ，７１ｃ，……が破れる問題もない。又、第６の実施の形態に係る穿孔機能付きファイルによれば、パンチ孔間隔が規格値に適合するように制御して穿孔されるので、従来の穿孔機能を備えないバインダとの整合性も確保できる。
【００７９】
（その他の実施の形態）
上記のように、本発明は第１〜第６の実施の形態によって記載したが、この開示の一部をなす論述及び図面は本発明を限定するものであると理解すべきではない。この開示から当業者には様々な代替実施の形態、実施例及び運用技術が明らかとなろう。例えば、既に述べた第１の実施の形態に係る穿孔機能付きファイルにおいて、ファイル帳３１の裏表紙の背表紙側の両隅に、用紙角部ガイド３７ａ，３７ｂを設けて、紙葉類７１ａ，７１ｂ，７１ｃ，……に対する穿孔位置の制御が容易になるように構成してもよい。又、第１〜第６の実施の形態では２穴のパンチについて説明したが、例示であり、綴り棒を３本にして、アメリカ合衆国、カナダ、メキシコの一部及びフィリピン等で用いられているレターサイズ（２１６×２７９ｍｍ）用の３穴のパンチにするような変形も、上記の第１〜第６の実施の形態の開示内容から、当業者であれば、容易に実施可能であろう。３穴のパンチの場合、パンチ孔の間隔（ピッチ）は、正規の規格というものがないが、１０８ｍｍが典型的な値であり、本発明の「端部制御機構」を採用することにより、レターサイズの紙の端部を水平に撓み等がないように保持した状態で、紙葉類の端部の位置を決定し、穿孔位置（端部から１２ｍｍが典型）及び穿孔間隔（１０８ｍｍ）を制御することができる。更に、４穴、６穴、２２穴、２６穴、３０穴等の４穴以上のパンチに本発明が適用可能であることは勿論である。
【００８０】
又、第１〜第６の実施の形態のいずれかにおいて例示した穿孔機能付きファイルの構造の一部を、第１〜第６の実施の形態の他のいずれかの構造として採用することも可能である。例えば、第３の実施の形態に係る穿孔機能付きファイルにおいて、説明した庇部の幅が、長手方向の両端部の幅に比し、中央部の幅が狭く構成された構造の用紙ガイド２９ｃを、第１、第２、又は第４〜第６の実施の形態に係る穿孔機能付きファイルの構造として採用することや、第４の実施の形態に係る穿孔機能付きファイルにおいて、説明したロックレバー７５を適宜変更して、第１〜第３、第５又は第６の実施の形態に係る穿孔機能付きファイルのロック機構の構造として採用することが許容される。
【００８１】
又、第１の実施の形態で説明したとおり、便宜上、ファイル帳３１としてＡ４の紙が収納できるバインダファイルを例示したが、穿孔機能付きファイルのサイズはＡ４に限定されるものではなく、穿孔機能付きファイルとしては、バインダファイルの他、種々のフォルダ，ルーズリーフ形式のノートブック或いは、ルーズリーフ形式の手帳等に適用可能なことは勿論である。このように、本発明はここでは記載していない様々な実施の形態等を含むことは勿論である。したがって、本発明の技術的範囲は上記の説明から妥当な特許請求の範囲に係る発明特定事項によってのみ定められるものである。
【産業上の利用可能性】
【００８２】
本発明は、例えばバインダ、ファイル、フォルダ，ルーズリーフ形式のノートブック及びルーズリーフ形式の手帳等の文具の技術分野に係る産業に利用可能である。
【符号の説明】
【００８３】
１１…ベース
１２ａ，１２ｂ，１２ｄ，１２ｅ，１２ｇ，１２ｈ，１２ｉ，１２ｋ，１２ｐ，１２ｑ，１２ｒ…綴り棒
１３…ヒンジ部設置板収納溝
１４ａ，１４ｂ…クランプ凹部
１５…紙押さえ部接続壁接続壁
１８ｂ，１８ｃ…取付穴
２１ａ，２１ｂ，２１ｃ，２１ｄ，２１ｅ，２１ｆ…紙押さえ部
２２ａ，２２ｐ…第１の凹刃
２２ｂ，２２ｑ…第２の凹刃
２３…ヒンジ部設置板
２４ａ，２４ｂ…クランプ凸部
２５…紙屑収納空間
２６INC…傾斜フック
２６…ガイド用フック
２６ｍ…ロックプレート
２７ａ，２７ｃ…紙屑取出蓋
２９，２９ｃ…用紙ガイド
３１…ファイル帳
３５，３６…ヒンジ部
３７ａ，３７ｂ…用紙角部ガイド
４１ａ，４１ｂ…窓
５１，７２，７５，８１，８５…ロックレバー
５２…貫通孔
５４…回転軸
５５ａ，５５ｂ…軸支持板
６１…鈎部
６５…シリンダ部
６７…ピストン部
７１ａ，７１ｂ，７１ｃ，７１ｄ，７１ｄ，７１ｅ…紙葉類
７３…用紙押出ピン
７４ａ，７４ｂ…固定ネジ
８２…回転軸
８４…ヒンジ部設置ブロック
【図１】
2014076638.tif 000003
【図２】
2014076638.tif 000004
【図３】
2014076638.tif 000005
【図４】
2014076638.tif 000006
【図５】
2014076638.tif 000007
【図６】
2014076638.tif 000008
【図７】
2014076638.tif 000009
【図８】
2014076638.tif 000010
【図９】
2014076638.tif 000011
【図１０】
2014076638.tif 000012
【図１１】
2014076638.tif 000013
【図１２】
2014076638.tif 000014
【図１３】
2014076638.tif 000015
【図１４】
2014076638.tif 000016
【図１５】
2014076638.tif 000017
【図１６】
2014076638.tif 000018
【図１７】
2014076638.tif 000019
【図１８】
2014076638.tif 000020
【図１９】
2014076638.tif 000021
【図２０】
2014076638.tif 000022
【図２１】
2014076638.tif 000023
【図２２】
2014076638.tif 000024
【図２３】
2014076638.tif 000025
【図２４】
2014076638.tif 000026
【図２５】
2014076638.tif 000027
【図２６】
2014076638.tif 000028
【図２７】
2014076638.tif 000029
【図２８】
2014076638.tif 000030
【図２９】
2014076638.tif 000031
【図３０】
2014076638.tif 000032
【図３１】
2014076638.tif 000033
【図３２】
2014076638.tif 000034
【図３３】
2014076638.tif 000035
【図３４】
2014076638.tif 000036
【図３５】
2014076638.tif 000037
【図３６】
2014076638.tif 000038